(57)【要約】      （修正有）【課題】基準信号を送信および受信するための方法および装置を提供する。【解決手段】基準信号を送信するための方法において、基準信号を送信する際に、基準信号は、第１送信リソースグループ内の第１構成リソースグループを使用して送信される。基準信号は、第２送信リソースグループ内の第２構成リソースグループを使用して送信される。第１構成リソースグループは、基準信号のために割り当てられたリソース構成に基づいて決定され、第２構成リソースグループは、第１構成リソースグループのサブセットである。【選択図】図５
2020162147.tif 000002
【特許請求の範囲】
【請求項１】
リソース要素の第１グループの周波数領域の位置とリソース要素の第２グループの周波数領域の位置とを指示するＲＲＣパラメータであって、送信のためのＣＳＩ−ＲＳ（Channel State Information Reference Signal）リソースをマップする前記ＲＲＣパラメータをＵＥ（User Equipment）にシグナリングすることを備え、
前記リソース要素の第１グループに対応するアンテナポートの数と前記リソース要素の第２グループに対応するアンテナポートの数の合計は、１６よりも多く、
前記リソース要素の第１グループおよび前記リソース要素の第２グループはそれぞれ、リソースコンフィギュレーションセットを２つずつ含み、
前記リソース要素の第１グループおよび前記リソース要素の第２グループのそれぞれにおいて、前記２つのリソースコンフィギュレーションセットのリソース要素に関する前記周波数領域の位置は、時間領域内の１４シンボル単位の内で互いに同じであり、
前記２つのリソースコンフィギュレーションセットは、時間領域において互いに隣接せず、
前記ＲＲＣパラメータに従って、前記ＣＳＩ−ＲＳリソースは前記リソース要素の第１グループと前記リソース要素の第２グループにのみマップされ、
前記ＣＳＩ−ＲＳリソースを用いてＣＳＩ−ＲＳを送信することを備える、
基地局によって実行される方法。
【請求項２】
更に、前記リソース要素の第１グループの全てのリソース要素を、前記ＣＳＩ−ＲＳの送信のために設定し、
前記リソース要素の第２グループのうち、ミュートされ、前記ＣＳＩ−ＲＳの送信のために使用されない１つの４ポートＣＳＩ−ＲＳコンフィギュレーションを、前記ＵＥにシグナリングする、
請求項１に記載の方法。
【請求項３】
前記リソースコンフィギュレーションセットの各々は、４個のリソース要素を含み、前記４個のリソース要素の時間位置及び周波数位置は、互いに（ａ、ｂ）、（ａ＋１、ｂ）、（ａ、ｂ＋１）、（ａ＋１、ｂ＋１）の関係であり、
ａは、サブキャリアのインデックスであり、ｂは、ＯＦＤＭシンボルのインデックスである、
請求項１または２に記載の方法。
【請求項４】
前記リソース要素の第１グループ内のリソース要素の数は、前記リソース要素の第２グループ内のリソース要素の数と同じ、
請求項１乃至３のいずれか１つに記載の方法。
【請求項５】
前記リソース要素の第１グループ及び前記リソース要素の第２グループは、１つのスロット内で送信される、
請求項１乃至４のいずれか１つに記載の方法。
【請求項６】
リソース要素の第１グループの周波数領域の位置とリソース要素の第２グループの周波数領域の位置とを指示するＲＲＣパラメータであって、送信のためのＣＳＩ−ＲＳ（Channel State Information Reference Signal）リソースをマップする前記ＲＲＣパラメータを基地局から受信することを備え、
前記リソース要素の第１グループに対応するアンテナポートの数と前記リソース要素の第２グループに対応するアンテナポートの数の合計は、１６よりも多く、
前記リソース要素の第１グループおよび前記リソース要素の第２グループはそれぞれ、リソースコンフィギュレーションセットを２つずつ含み、
前記リソース要素の第１グループおよび前記リソース要素の第２グループのそれぞれにおいて、前記２つのリソースコンフィギュレーションセットのリソース要素に関する前記周波数領域の位置は、時間領域内の１４シンボル単位の内で互いに同じであり、
前記２つのリソースコンフィギュレーションセットは、時間領域において互いに隣接せず、
前記ＲＲＣパラメータに従って、前記ＣＳＩ−ＲＳリソースは前記リソース要素の第１グループと前記リソース要素の第２グループにのみマップされ、
前記ＣＳＩ−ＲＳリソースを用いてＣＳＩ−ＲＳを受信することを備える、
ＵＥ（User Equipment）によって実行される方法。
【請求項７】
更に、前記リソース要素の第１グループの全てのリソース要素を、前記ＣＳＩ−ＲＳの送信のために設定され、
前記リソース要素の第２グループのうちミュートされ、前記ＣＳＩ−ＲＳの送信のために使用されない１つの４ポートＣＳＩ−ＲＳコンフィギュレーションを、前記基地局から受信する、
請求項６に記載の方法。
【請求項８】
前記リソースコンフィギュレーションセットの各々は、４個のリソース要素を含み、前記４個のリソース要素の時間位置及び周波数位置は、互いに（ａ、ｂ）、（ａ＋１、ｂ）、（ａ、ｂ＋１）、（ａ＋１、ｂ＋１）の関係であり、
ａは、サブキャリアのインデックスであり、ｂは、ＯＦＤＭシンボルのインデックスである、
請求項６または７に記載の方法。
【請求項９】
前記リソース要素の第１グループ内のリソース要素の数は、前記リソース要素の第２グループ内のリソース要素の数と同じ、
請求項６乃至８のいずれか１つに記載の方法。
【請求項１０】
前記リソース要素の第１グループ及び前記リソース要素の第２グループは、１つのスロット内で送信される、
請求項６乃至９のいずれか１つに記載の方法。
【発明の詳細な説明】
【技術分野】
【０００１】
本開示の実施形態は、一般に、無線通信技術に関し、より詳細には、基準信号を送信するための方法および装置、ならびに基準信号を受信するための方法および装置に関する。
【背景技術】
【０００２】
マルチアンテナ技術は、無線通信システムのデータレート及び信頼性を大幅に向上させることができる。送信機と受信機の両方に複数のアンテナが装備されている場合、性能は特に改善され、その結果、多入力多出力ＭＩＭＯ（Multiple-Input Multiple-Output）通信チャネルとなる。そのようなシステムおよび／または関連技術は、一般にＭＩＭＯと呼ばれる。
【０００３】
ＬＴＥ（Long Term Evolution）標準は、現在、ＭＩＭＯのサポートを強化し進化している。ＬＴＥの中核となる構成要素は、ＭＩＭＯアンテナ配置とＭＩＭＯ関連技術のサポートである。現在、１次元（水平）アンテナアレイは、水平方向のプリコーディング処理によってのみ方位角領域において柔軟なビーム適応を提供することができ、垂直方向に固定されたダウン−チルトが適用される。
【０００４】
ＡＳＳ（Active Antenna Array）の開発と共に、垂直ドメイン上のユーザ固有の高度ビームフォーミングおよび空間多重化が可能であるような、２Ｄ（two-dimensional）アンテナ平面を利用することを介して、完全なＭＩＭＯ能力が利用できることがわかったので、ＦＤ−ＭＩＭＯ（Full Dimensional-MIMO）が提案された。
【０００５】
ＦＤ−ＭＩＭＯのためのＬＴＥのＲｅｌ．１３では、２ＤアンテナアレイのＣＳＩ−ＲＳ（Channel State Information-Reference Signals）ポートは、クラスＡのＣＳＩ−ＲＳ（例えば、非プリコードＣＳＩ−ＲＳ）では、１２／１６に増加し、アンテナ構成（Ｎ１、Ｎ２）＝（２、３）、（３、２）、（２、４）または（４、２）が使用され、クラスＡのＣＳＩ−ＲＳのために、ＣＤＭ（Code Division Multiplexing）−２とＣＤＭ−４の両方が採用される。また、さらなるＦＤ−ＭＩＭＯエンハンスメントの技術についての検討が要求される。非プリコードＣＳＩ−ＲＳエンハンスメントのために、ＣＳＩ−ＲＳ送信用オーバーヘッドを低減するためのメカニズムと共に、｛２０、２４、２８、３２｝ＣＳＩ−ＲＳポートのサポートのために、ＣＳＩ−ＲＳポートの既存の数｛１、２、４、８、１２、１６｝を、拡張することが既に提案されている。
【０００６】
Ｒｅｌ．１３の３６．２１１のｄ００において、ＲＡＮ１＃８４のアグリーメントには、１２ポートと１６ポートのＣＳＩ−ＲＳのパターンが記載されている。ＣＤＭ−４用の１６ポートＣＳＩ−ＲＳ  ＲＥ（Resource Element）マッピングに関しては、アンテナ構成（Ｎ、Ｋ）＝（８、２）が使用される。レガシー８ポートＣＳＩ−ＲＳをマッピングするための８つのＲＥは、４つのＲＥの２つのグループに分割される。４つのＲＥの各グループは、ＣＤＭグループを形成し、アンテナポート番号およびＯＣＣ（Orthogonal Cover Code）割り当ては表１に定義される。
【表１】
2020162147.tif 000003
【０００７】
図１は、ＣＤＭ−４のための１６ポートＣＳＩ−ＲＳ  ＲＥマッピングのためのＣＳＩ−ＲＳパターンを示し、ＣＤＭグループは、図１の太線のブロックで示すようなレガシー８ポートＣＳＩ−ＲＳをマッピングするための８つのＲＥを形成する、４つのＲＥと２つのＣＤＭグループを含む。
【０００８】
ＣＤＭ−４用の１２ポートＣＳＩ−ＲＳ−ＲＥに関しては、アンテナ構成（Ｎ、Ｋ）＝（４、３）が使用される。レガシー４ポートＣＳＩ−ＲＳをマッピングするための４つのＲＥは、ＣＤＭグループとアンテナポートナンバリングを含み、ＯＣＣ割り当ては表２に定義される。
【表２】
2020162147.tif 000004
【０００９】
図２は、ＣＤＭグループが４つのＲＥを含むが、これらの４つのＲＥは、２つの別個のＲＥのグループである、ＣＤＭ−４の１２ポートＣＳＩ−ＲＳ  ＲＥマッピングのＣＳＩ−ＲＳパターンを示す。さらに、図３は、長さ４のＯＣＣシーケンスであるＣＤＭ−４のシーケンスｗｐ’（ｉ）を示す。
【００１０】
ＣＤＭ−２については、Ｒｅｌ．１３アグリーメントの３６．２１１のｄ００にあり、Ｒｅｌ−１２ポート番号ｐ’のｋ番目の構成要素リソースに使用されるクラスＡのＣＳＩ−ＲＳリソースポート番号は、次のように与えられる。
【数１】
2020162147.tif 000005
ｋは構成要素リソースのインデックスを示し、ｐ’はＲｅｌ−１２ポート番号を示し、Ｎは各構成要素リソースのポート数を示し、Ｋは構成要素リソースの数を示す。図４は、２つの８ポート構成を含むＣＤＭ−２用の１６ポートＣＳＩ−ＲＳ  ＲＥマッピングのＣＳＩ−ＲＳパターンを示す。
【００１１】
さらに、ＲＡＮ１＃８２において、０．５ＲＥ／ＲＢ／ポートのＣＳＩ−ＲＳを用いることが提案された。提案された方式では、ＣＳＩ−ＲＳポートの全てが信号ＰＲＢ内に位置するわけではなく、ポートは隣接するＰＲＢ内でＦＤＭ方式で多重化される。通常のＣＰ１６の場合、ＣＳＩ−ＲＳポートは、８つのＣＳＩ−ＲＳポートをそれぞれ含むフレーム構造タイプ１および２を含む。１番目の８個のＣＳＩ−ＲＳポート（すなわちポート１５−２２）は、偶数番号のＰＲＢに配置され、２番目の８個のＣＳＩ−ＲＳポート（すなわちポート２３−３０）は、奇数番号のＰＲＢに配置される。
【発明の概要】
【発明が解決しようとする課題】
【００１２】
上述の解決策では、最大１６のポートに対するＣＳＩ−ＲＳ設計しか提供されず、より多くのポートを拡張する方法を提供することができない。したがって、当技術分野では、ＣＳＩ−ＲＳポートの増加の要件を満たすために、新しいＣＳＩ−ＲＳポート設計および新しい基準信号送信および受信の解決策が必要とされる。
【００１３】
この目的のために、本開示では、従来技術の問題の少なくとも一部を緩和または少なくとも軽減するための基準信号送信および受信のための新しい解決策が提供される。
【課題を解決するための手段】
【００１４】
本開示の第１の態様によれば、基準信号を送信する方法が提供される。前記方法は、第１送信リソースグループ内の第１構成リソースグループを使用して基準信号を送信することと、第２送信リソースグループ内の第２構成リソースグループを使用して前記基準信号を送信することと、を備える。特に、前記第１構成リソースグループは、前記基準信号のために割り当てられたリソース構成に基づいて決定され、前記第２構成リソースグループは、前記第１構成リソースグループのサブセットである。
【００１５】
本開示の第２の態様では、基準信号を受信する方法が提供される。前記方法は、第１送信リソースグループ内の第１構成リソースグループ内の基準信号を受信することと、第２送信リソースグループ内の第２構成リソースグループ内の前記基準信号を受信することと、を備える。特に、前記第１構成リソースグループは、前記基準信号のために割り当てられたリソース構成に基づいて決定され、前記第２構成リソースグループは、前記第１構成リソースグループのサブセットである。
【００１６】
本開示の第３の態様では、基準信号を送信する装置が提供される。前記装置は、第１送信リソースグループ内の第１構成リソースグループを使用して基準信号を送信するように構成された第１基準信号送信部と、第２送信リソースグループ内の第２構成リソースグループを使用して前記基準信号を送信するように構成された第２基準信号送信部と、を備える。特に、前記第１構成リソースグループは、前記基準信号のために割り当てられたリソース構成に基づいて決定され、前記第２構成リソースグループは、前記第１構成リソースグループのサブセットである。
【００１７】
本開示の第４の態様では、基準信号を受信する装置が提供される。前記装置は、第１送信リソースグループ内の第１構成リソースグループ内の基準信号を受信するように構成された第１基準信号受信部と、第２送信リソースグループ内の第２構成リソースグループ内の前記基準信号を受信するように構成された第２基準信号受信部と、を備える。特に、前記第１構成リソースグループは、前記基準信号のために割り当てられたリソース構成に基づいて決定され、前記第２構成リソースグループは、前記第１構成リソースグループのサブセットである。
【００１８】
本開示の第５の態様によれば、コンピュータプログラムコードが具現化され、提供されるコンピュータ可読記憶媒体であって、前記コンピュータプログラムコードは、実行されると、前記第１の態様のいずれかの実施形態に係る前記方法において、装置に動作を実行させるように構成される。
【００１９】
本開示の第６の態様によれば、コンピュータプログラムコードが具現化され、さらに提供されるコンピュータ可読記憶媒体であって、前記コンピュータプログラムコードは、実行されると、前記第２の態様のいずれかの実施形態に係る前記方法において、装置に動作を実行させるように構成される。
【００２０】
本開示の第７の態様によれば、前記第５の態様によるコンピュータ可読記憶媒体を備えるコンピュータプログラム製品が提供される。
【００２１】
本開示の第８の態様によれば、前記第６の態様によるコンピュータ可読記憶媒体を備えるコンピュータプログラム製品が提供される。
【００２２】
本開示の実施形態では、ＣＳＩ−ＲＳのような基準信号用のより多くのポートをサポートすることができ、レガシーＣＳＩ−ＲＳリソース構成メカニズムを再利用することができ、同時に、ＲＲＣ信号のオーバーヘッド、標準的な複雑さ、およびレガシーＵＥへの影響を実質的に低減することができる。
【００２３】
本発明の実施形態の他の特徴および利点は、本開示の実施形態の原理を例として示す添付の図面と併せて読むと、特定の実施形態の以下の説明からも明らかになるであろう。
【図面の簡単な説明】
【００２４】
本開示の実施形態は、実施例の意味で提示され、それらの利点は、添付の図面を参照して以下により詳細に説明される。
【００２５】
【図１】図１は、ＲＡＮ１＃８４におけるＲｅｌ．１３の合意の３６．２１１  ｄ００におけるＣＤＭ−４の１６ポートＣＳＩ−ＲＳ  ＲＥマッピングのためのＣＳＩ−ＲＳパターンを示す。
【００２６】
【図２】図２は、ＲＡＮ１＃８４におけるＲｅｌ．１３の合意の３６．２１１  ｄ００におけるＣＤＭ−４の１２ポートＣＳＩ−ＲＳ  ＲＥマッピングのためのＣＳＩ−ＲＳパターンを示す。
【００２７】
【図３】図３は、ＲＡＮ１＃８４におけるＲｅｌ．１３の合意の３６．２１１  ｄ００におけるＣＤＭ−４のシーケンスｗｐ’（ｉ）を示す。
【００２８】
【図４】図４は、ＲＡＮ１＃８４におけるＲｅｌ．１３の合意の３６．２１１  ｄ００におけるＣＤＭ−２の１６ポートＣＳＩ−ＲＳ  ＲＥマッピングのためのＣＳＩ−ＲＳパターンを示す。
【００２９】
【図５】図５は、本開示の実施形態による基準信号を送信するための方法のフローチャートを概略的に示す。
【００３０】
【図６】図６は、本開示の実施形態による、ＦＤＭモードにおける２８または３２個のＣＳＩ−ＲＳポートのＣＳＩ−ＲＳポートリソース割り当て方式を概略的に示す。
【００３１】
【図７】図７は、本開示の実施形態による、ＦＤＭモードにおける２０または２４個のＣＳＩ−ＲＳポートに対するＣＳＩ−ＲＳポートリソース割り当て方式を概略的に示す。
【００３２】
【図８】図８は、本開示の実施形態による、ＦＤＭモードにおける２８個のＣＳＩ−ＲＳポートの別のＣＳＩ−ＲＳポートリソース割り当て方式を示す。
【００３３】
【図９】図９は、本開示の実施形態による、ＦＤＭモードにおける２８個のＣＳＩ−ＲＳポートのさらなるＣＳＩ−ＲＳポートリソース割り当て方式を示す。
【００３４】
【図１０】図１０は、本開示の実施形態による、ＦＤＭモードにおける２８個のＣＳＩ−ＲＳポートのさらなるＣＳＩ−ＲＳポートリソース割り当て方式を示す。
【００３５】
【図１１】図１１は、本開示の実施形態による２０個のＣＳＩ−ＲＳポートのための別のＣＳＩ−ＲＳポートリソース割り当て方式を示す。
【００３６】
【図１２】図１２は、本開示の実施形態によるＴＤＭモードにおける例示的な送信リソースグループ分割およびＣＳＩ−ＲＳポートリソース割り当て方式を示す。
【００３７】
【図１３】図１３は、本開示の実施形態による、ＦＤＭモードにおける２８ポートＣＳＩ−ＲＳ構成のための別のＣＳＩ−ＲＳポートリソース割り当て方式を示す。
【００３８】
【図１４】図１４は、本開示の実施形態による、ＦＤＭモードにおける２８ポートＣＳＩ−ＲＳ構成のためのさらなるＣＳＩ−ＲＳポートリソース割り当て方式を示す。
【００３９】
【図１５】図１５は、本開示の実施形態による新しいＺＰ  ＣＳＩ−ＲＳ構成を示す。
【００４０】
【図１６】図１６は、本開示の実施形態による３２個のＣＳＩ−ＲＳポートに対する異なるサブアレイ分割を示す。
【図１７】図１７は、本開示の実施形態による３２個のＣＳＩ−ＲＳポートに対する異なるサブアレイ分割を示す。
【００４１】
【図１８】図１８は、本開示の実施形態による３２個のＣＳＩ−ＲＳポートに対する異なるサブアレイマッピングを示す。
【図１９】図１９は、本開示の実施形態による３２個のＣＳＩ−ＲＳポートに対する異なるサブアレイマッピングを示す。
【００４２】
【図２０】図２０は、本開示の実施形態による３２個のＣＳＩ−ＲＳポートの別の異なるサブアレイ分割を示す。
【図２１】図２１は、本開示の実施形態による３２個のＣＳＩ−ＲＳポートの別の異なるサブアレイ分割を示す。
【００４３】
【図２２】図２２は、本開示の実施形態による３２個のＣＳＩ−ＲＳポートのさらに異なるサブアレイ分割を示す。
【図２３】図２３は、本開示の実施形態による３２個のＣＳＩ−ＲＳポートのさらに異なるサブアレイ分割を示す。
【００４４】
【図２４】図２４は、本開示の実施形態による３２個のＣＳＩ−ＲＳポートのさらに別のサブアレイ分割を示す。
【図２５】図２５は、本開示の実施形態による３２個のＣＳＩ−ＲＳポートのさらに別のサブアレイ分割を示す。
【００４５】
【図２６】図２６は、本開示の実施形態による２８個のＣＳＩ−ＲＳポートの異なるサブアレイ分割を示す。
【図２７】図２７は、本開示の実施形態による２８個のＣＳＩ−ＲＳポートの異なるサブアレイ分割を示す。
【００４６】
【図２８】図２８は、本開示の実施形態による２８個のＣＳＩ−ＲＳポートの別の異なるサブアレイ分割を示す。
【図２９】図２９は、本開示の実施形態による２８個のＣＳＩ−ＲＳポートの別の異なるサブアレイ分割を示す。
【００４７】
【図３０】図３０は、本開示の実施形態による２４個のＣＳＩ−ＲＳポートのさらに異なるサブアレイ分割を示す。
【図３１】図３１は、本開示の実施形態による２４個のＣＳＩ−ＲＳポートのさらに異なるサブアレイ分割を示す。
【００４８】
【図３２】図３２は、本開示の実施形態による２４個のＣＳＩ−ＲＳポートのさらに異なるサブアレイ分割を示す。
【図３３】図３３は、本開示の実施形態による２４個のＣＳＩ−ＲＳポートのさらに異なるサブアレイ分割を示す。
【００４９】
【図３４】図３４は、本開示の実施形態による２０個のＣＳＩ−ＲＳポートのさらに異なるサブアレイ分割を示す。
【図３５】図３５は、本開示の実施形態による２０個のＣＳＩ−ＲＳポートのさらに異なるサブアレイ分割を示す。
【００５０】
【図３６】図３６は、本開示の実施形態による２０個のＣＳＩ−ＲＳポートのさらに異なるサブアレイ分割を示す。
【図３７】図３７は、本開示の実施形態による２０個のＣＳＩ−ＲＳポートのさらに異なるサブアレイ分割を示す。
【００５１】
【図３８】図３８は、本開示の実施形態によるＣＤＭ−２を有する３２個のＣＳＩ−ＲＳポートの例示的なサブアレイグループ分割を示す。
【００５２】
【図３９】図３９は、本開示の実施形態によるＣＤＭ−２を有する２８個のＣＳＩ−ＲＳポートの例示的なサブアレイグループ分割を示す。
【００５３】
【図４０】図４０は、本開示の実施形態によるＣＤＭ−４を有する３２個のＣＳＩ−ＲＳポートの例示的なサブアレイグループ分割を示す。
【００５４】
【図４１】図４１は、本開示の実施形態によるＴＤＭモードのＣＤＭ−２を有する２４個のＣＳＩ−ＲＳポートの例示的なサブアレイグループ分割を示す。
【００５５】
【図４２】図４２は、本開示の実施形態によるＴＤＭモードにおけるサブアレイグループおよびサブアレイマッピングを示す。
【００５６】
【図４３】図４３は、本開示の実施形態によるＯＣＣの直交可変拡散率の例を示す。
【００５７】
【図４４】図４４は、本開示の実施形態によるＦＤＭモードにおける３２個のＣＳＩ−ＲＳポートのＣＤＭ８の方式を示す。
【００５８】
【図４５】図４５は、本開示の実施形態によるＦＤＭモードにおける３２個のＣＳＩ−ＲＳポートのＣＤＭ８の別の方式を示す。
【００５９】
【図４６】図４６は、本開示の実施形態によるＦＤＭモードにおける３２個のＣＳＩ−ＲＳポートのＣＤＭ８のさらなる方式を示す。
【００６０】
【図４７】図４７は、本開示の実施形態によるＴＤＭモードにおける３２個のＣＳＩ−ＲＳポートのＣＤＭ８の別の方式を示す。
【００６１】
【図４８】図４８は、本開示の実施形態によるＯＣＣシーケンスの第１シーケンスパートおよび第２シーケンスパートを示す。
【００６２】
【図４９】図４９は、本開示の実施形態によるＯＣＣシーケンスの第１シーケンスパートおよび第２シーケンスパートを使用するための方式を示す。
【００６３】
【図５０】図５０は、本開示の実施形態によるレガシーＵＥのための複合チャネルを示す。
【００６４】
【図５１】図５１は、本開示の実施形態によるＯＣＣの直交可変拡散率の別の例を示す。
【００６５】
【図５２】図５２は、本開示の別の実施形態による基準信号を受信する方法５２００のフローチャートを概略的に示す。
【００６６】
【図５３】図５３は、本開示の一実施形態による基準信号を送信するための装置５３００のブロック図を概略的に示す。
【００６７】
【図５４】図５４は、本開示の別の実施形態による基準信号を受信するための装置５４００のブロック図を概略的に示す。
【００６８】
【図５５】図５５は、本明細書で説明される無線ネットワーク内の基地局として実施されるか、またはそこに含まれるＵＥおよび装置５５２０として具体化されるかまたはＵＥおよび装置５５２０に含まれる装置５５１０の簡略ブロック図をさらに示す。
【発明を実施するための形態】
【００６９】
以下、添付図面を参照しながら、本開示の実施形態を詳細に説明する。これらの実施形態は、当業者が本開示をよりよく理解し実施することを可能にするためにのみ提示されており、本開示の範囲を限定することを意図するものではないことを理解されたい。
【００７０】
添付の図面において、本開示の様々な実施形態が、ブロック図、フローチャートおよび他の図に示されている。フローチャートまたはブロック内の各ブロックは、指定された論理機能を実行するための１つまたは複数の実行可能命令を含むモジュール、プログラム、またはコードの一部を表すことができ、本開示では、重要でないブロックを点線で示す。さらに、これらのブロックは、本方法のステップを実行するための特定のシーケンスで示されているが、実際には、図示されたシーケンスに従って厳密に実行される必要はない。例えば、それらは、それぞれの操作の性質に依存する逆の順序または同時に実行されてもよい。フローチャートのブロック図および／または各ブロックおよびそれらの組み合わせは、特定の機能／動作を実行するための専用のハードウェアベースのシステムによって、または専用のハードウェアとコンピュータ命令の組み合わせによって実現されてもよいことにも留意されたい。
【００７１】
一般に、請求の範囲において使用される用語は、本明細書において明示的に定義されていない限り、技術分野における通常の意味に従って解釈される。“ａ／ａｎ／ｔｈｅ／ｓａｉｄ「要素、デバイス、構成要素、手段、ステップ等」”への言及は、そうでないと明示的に宣言されていない限り、複数のそのようなデバイス、構成要素、手段、ユニット、ステップなどを排除することなく、少なくとも１つの要素、デバイス、構成要素、手段、ユニットステップ等のインスタンスへの言及としてオープンに解釈される。また、本明細書において用いられる不定冠詞“ａ／ａｎ”は、複数のそのようなステップ、ユニット、モジュール、デバイス、及びオブジェクトなどを排除するものではない。
【００７２】
さらに、本開示の文脈において、ユーザ機器（ＵＥ:User Equipment）は、端末、移動端末（ＭＴ:Mobile Terminal）、加入者局（ＳＳ:Subscriber Station）、携帯加入者局（ＰＳＳ:Portable Subscriber Station）、移動局端末、端末、ＭＴ、ＳＳ、ＰＳＳ、ＭＳ、またはＡＴの機能の一部または全部が含まれていてもよい。さらに、本開示の文脈において、「ＢＳ（Base Station）」という用語は、例えば、ノードＢ（ＮｏｄｅＢまたはＮＢ）、進化型ＮｏｄｅＢ（ｅＮｏｄｅＢまたはｅＮＢ）、無線ヘッダ（ＲＨ:Radio Header）、遠隔無線ヘッド（ＲＲＨ:Remote Radio Head）、リレー、またはフェムト、ピコなどの低電力ノードを含むことができる。
【００７３】
前述したように、既存の解決策では、最大１６個のポートに対するＣＳＩ−ＲＳ設計のみが提供され、より多くのポートを拡張する方法を提供することはできない。したがって、本開示の実施形態は、新しいＣＳＩ−ＲＳ設計および基準信号の送信および受信のための新しい解決策を対象とする。この解決策は、ｅＮＢのようなサービングノードとＵＥのような端末装置との間で実行され、より多くのポートを有する基準信号送信をサポートすることができる。特に、送信リソースは、少なくとも２つのグループ、すなわち第１構成リソースグループと第２構成リソースグループに分割される。ＵＥのための基準信号は、より多くのポートをサポートするように、第１送信リソースグループ内および第２送信リソースグループ内の構成リソースグループを使用して共同して送信され、特に、第１送信リソースグループは、基準信号のために割り当てられたリソース構成に基づいて決定される、一方、第２送信リソースグループは、第１構成リソースグループのサブセットである。第１送信リソースグループおよび第２送信リソースグループの構成リソースグループは、１つまたは複数の指示によってＵＥに指示することができる。基準信号を送信するためのアンテナアレイは、第１送信リソースグループと第２送信リソースグループにそれぞれマッピング可能な第１サブアレイと第２サブアレイとに分割することができ、第１サブアレイ及び第２アレイの少なくとも１つにおいて、サブアレイを複数のサブアレイグループに更に分割することができ、各サブアレイグループは、それぞれの送信リソースグループ内の異なるリソース構成にマッピングすることができる。高次ＯＣＣは、ＣＤＭ−８をサポートするために使用することができ、前記ＯＣＣは、レガシーユーザによって使用されることができる構成リソースを多重化するために使用できるレガシーＯＣＣシーケンスを含む部分を含む。これにより、例えば、レガシーＣＳＩ−ＲＳリソース構成を使用して、より多くのＣＳＩ−ＲＳポートをサポートすることが可能であり、同時に、ＲＲＣ信号オーバーヘッド、動作の複雑さ、およびレガシーＵＥへの影響を低減することが可能である。
【００７４】
本開示のいくつかの実施形態では、端末装置は、端末、ＭＴ、ＳＳ、ＰＳＳ、ＭＳ、またはＡＴなどのＵＥを備えることができる。一方、サービングノードは、ノードＢ（ＮｏｄｅＢまたはＮＢ）、または進化型ＮｏｄｅＢ（ｅＮｏｄｅＢまたはｅＮＢ）などのＢＳを備えることができる。
【００７５】
本発明の他の実施形態は、ＬＴＥ（Long Term Evolution）システムまたはＬＴＥ−Ａ（Long Term Evolution Advanced）システムを含むが、これに限定されない様々な通信システムに適用することができる。通信の急速な発展を考えると、本発明を疑念なく具体化することができる将来のタイプの無線通信技術およびシステムも存在する。したがって、本開示の範囲を上記のシステムのみに限定するものとして認識されるべきではない。
【００７６】
以下、本発明のいくつかの実施形態について、詳細に、以下に示す図５乃至図５４を参照して説明する。しかしながら、これらの例示的な実施形態は、説明のためのみに提示されており、本開示は、例示的な実施形態を参照して記載された特定の詳細に限定されないことを理解されたい。例えば、ＣＳＩ−ＲＳは、本明細書に記載されている基準信号の例として主に取られ、本開示はこれに限定されない。
【００７７】
まず、本開示の一実施形態による基準信号を送信するための方法５００のフローチャートを概略的に示す図５を参照する。方法５００は、サービングノード、例えば、node B (NodeB or NB)のようなＢＳで実行されてもよい。
【００７８】
図５に示すように、方法５００はステップ５０１から開始し、基準信号は第１送信リソースグループ内の第１構成リソースグループを使用して送信され、ステップ５０２では基準信号は第２送信リソースグループ内の第２構成リソースグループ内で送信される。第１構成リソースグループは、基準信号のために割り当てられたリソース構成に基づいて決定され、第２構成リソースグループは、第１構成リソースグループのサブセットである。
【００７９】
既に上述したように、本開示では、送信リソースは、少なくとも２つのグループ、すなわち第１構成リソースグループと第２構成リソースグループに分けられる。本明細書で使用する「送信リソース」という用語は、信号送信のための時間−周波数リソースを意味する。周波数分割多重（ＦＤＭ:Frequency Division Multiplex）モードでは、送信リソースは物理リソースブロック（ＰＲＢ:Physical Resource Blocks）を意味する。時分割多重（ＴＤＭ:Time Division Multiplexing）モードでは、送信リソースはサブフレーム内の特定のＰＲＢを意味する。ＦＤＭモードでは、１つのサブフレーム内のＰＲＢは、少なくとも２つの送信リソースグループ、例えば偶数番号のＰＲＢおよび奇数番号のＰＲＢに分割することができる。第１送信リソースグループと第２送信リソースグループの一方は、奇数ＰＲＢを含み、他方は偶数ＰＲＢを含む。ＴＤＭモードでは、第１送信リソースグループと第２送信リソースグループは異なるサブフレーム内にある。全てのＲＥが所定の基準信号送信用に構成されているわけではない送信リソースグループのそれぞれにおいて、いくつかのＲＥがデータを送信するために使用され、いくつかのＲＥは制御情報を送信するために使用され、いくつかのＲＥは共通基準信号（ＣＲＳ:Common Reference Signal）を送信するために使用され、いくつかのＲＥは復調基準信号（ＤＭＲＳ:Demodulation Reference signal）を送信するために使用され、いくつかのＲＥはＣＳＩ−ＲＳ信号を送信するために使用される。基準信号がＣＳＩ−ＲＳである実施形態では、送信リソースグループ内のＣＳＩ−ＲＳのＲＥは、構成リソースのグループと呼ばれる。本実施形態におけるＰＲＢまたはＰＲＢ対は、１つのサブフレーム内の１つの物理リソースブロックを意味することに留意されたい。
【００８０】
説明の目的のために、図６乃至図１１は、本開示の実施形態によるＦＤＭモードにおける例示的な送信リソースグループ分割およびＣＳＩ−ＲＳポートリソース割り当て方式を示す。図６に示すように、２８個のＣＳＩ−ＲＳポートに対して、ＰＲＢ＃ｎは第１送信リソースグループに属し、ＰＲＢ＃ｎ＋１は第２送信リソースグループに属する。しかしながら、ＰＲＢ＃ｎ＋１が第１送信リソースグループに属し、ＰＲＢ＃ｎが第２送信リソースグループに属することも可能であることに留意されたい。以下では、説明のために、第１送信リソースグループがＰＲＢ＃ｎを含み、第２送信リソースグループがＰＲＢ＃ｎ＋１を含む例を参照する。
【００８１】
ＰＲＢ＃ｎの場合、Ｒｅｌ−１３構成メカニズムなどのレガシー構成メカニズムに基づいて、１６ポートＣＳＩ−ＲＳリソースＡ１をＵＥに構成することができ、２つの８ポートＣＳＩ−ＲＳ構成リソースは、例えば、図６に太線のブロックで示されているように、Ａ１＝Ｃｏｎｆｉｇ．０＋Ｃｏｎｆｉｇ．２である。ＰＲＢ＃ｎ＋１については、Ａ１と全く同じ１６ポートＣＳＩ−ＲＳリソースＡ２をＵＥに、すなわちＡ１＝Ａ２として構成することができる。この場合、２８個のＣＳＩ−ＲＳポートに対する実際のＣＳＩ−ＲＳアンテナポートの数は２８であり、割り当てられたＣＳＲ−ＲＳリソースは各ＰＲＢ対、すなわち隣接するＰＲＢ内の３２個のＲＥに２つの８ポートＣＳＩ−ＲＳ構成を含む。したがって、割り当てられたＣＳＩ−ＲＳリソースＲＥは、実際のＣＳＩ−ＲＳアンテナポートよりも多い。したがって、Ａ１のすべてのＲＥを使用できるが、Ａ２の４つのＲＥは未使用のリソースにすることができ、それらをミュートすることができ、パワーブーストを実行するために電力を他のＲＥに貸すことができる。同時に、ミュートＲＥは送信データに使用できない。このような場合、第１構成リソースグループ（１６個のポート、すなわちＮ１）は第１送信リソースグループ内で使用され、第２構成リソースグループ（１２（１６−４）ポート、すなわちＮ２）は第２送信リソースグループ内で使用される。換言すれば、この場合、Ａ１（１６）＝Ａ２（１６）、Ｎ１（１６）＝Ａ１（１６）、およびＮ２（１２）＜Ａ２（１６）であり、Ｎ２はＮ１のサブセットであり、すなわちＮ２＜Ｎ１である。
【００８２】
図５に戻って参照すると、図５に示すように、ステップ５０３において、ｅＮＢは、Ａ１＝Ａ２であるので、割り当てられたリソース構成Ａ１を通知するためにＵＥに指示を送信することができ、ｅＮＢは、Ａ１＝Ａ２であるため、Ａ１およびＡ２に対する１つの指示でしかＵＥを構成することができない。ＵＥは、Ａ１および所定のリソース割り当てポリシーに基づいて、第１構成リソースグループ（Ｎ１）および第２構成リソースグループ（Ｎ２）を決定することができ、所定のリソース割り当てポリシーは、Ｎ１またはＮ２において未使用であり、ｅＮＢおよびＵＥの両方によって知られたＲＥを指定する。
【００８３】
さらに、ｅＮＢは、第１構成リソースグループ（Ｎ１）の指示を送信することも可能であり、ＵＥは、第１構成リソースグループ（Ｎ１）と、ｅＮＢとＵＥの両方により知られた所定のリソース割り当てポリシーとに基づいて、第２構成リソースグループ（Ｎ２）を決定することができる。さらに、ＲＥをミュートするには、ステップ５０５のＲＲＣシグナリングのような指示によってそれらをＵＥに知らせることができ、または４つのＲＥをｅＮＢとＵＥとの間のデフォルト情報とすることができ、そのような場合にはＲＣＣシグナリングは不要である。Ａ２の４つのＲＥがミュートされるためには、図８及び図９の説明において同様の方法で１つのＣＤＭ４グループまたは１つの４ポートＣＳＩ−ＲＳ構成をミュートすることができる。あるいは、第１構成リソースグループＮ１の指示に加えて、ｅＮＢは、ステップ５０４において、第２構成リソースグループの指示をＵＥに直接送信することもできる。そのような場合、第１構成リソースグループＮ１および第２構成リソースグループＮ２に基づいて、ミュートされるべきリソースを決定することができ、ＲＲＣシグナリングまたはデフォルトシグナリングは不要である。
【００８４】
３２個のＣＳＩ−ＲＳポートに対して、同じ２つの８ポートＣＳＩ−ＲＳ構成をＰＲＢ＃ｎおよびＰＲＢ＃ｎ＋１に対して構成することができ、そのような場合、Ａ１（１６）＝Ａ２（１６）、Ｎ１（１６）＝Ａ１（１６）、Ｎ２（１６）＝Ａ２（１６）であり、ミューティングは不要である。
【００８５】
図７は、本開示の実施形態による２０個のＣＳＩ−ＲＳポートに対するＣＳＩ−ＲＳポートリソース割り当て方式を示す。図７に示すように、送信リソースも同様に分割され、第１送信リソースグループはＰＲＢ＃ｎを含み、第２送信リソースグループはＰＲＢ＃ｎ＋１を含む。ＰＲＢ＃ｎの場合、１２ポートＣＳＩ−ＲＳリソースＡ１は、Ｒｅｌ−１３構成メカニズムに基づいてＵＥに構成され、具体的には３つの４ポートＣＳＩ−ＲＳ構成が構成され、例えば、Ａ１＝Ｃｏｎｆｉｇ．０＋Ｃｏｎｆｉｇ．２＋Ｃｏｎｆｉｇ．５である。ＰＲＢ＃ｎ＋１の場合、同じＣＳＩ−ＲＳリソースがＵＥに設定され、すなわちＡ１＝Ａ２である。この場合、２０個のＣＳＩ−ＲＳポートに対する実際のＣＳＩ−ＲＳアンテナポートの数は２０であり、割り当てられたＣＳＲ−ＲＳリソースは、各送信リソースグループ内の３つの４ポートＣＳＩ−ＲＳ構成、すなわち２つの２４のＲＥである隣接するＰＲＢ対である。これは、割り当てられたＣＳＩ−ＲＳリソースＲＥが実際のＣＳＩ−ＲＳアンテナポート以上であることを意味する。したがって、Ａ２の４つのＲＥをパワーブーストの問題を解決するためにミュートすることができる。この場合、Ａ１（１２）＝Ａ２（１２）、Ｎ１（１２）＝Ａ１（１２）、Ｎ２（８）＜Ａ２（１２）である。ｅＮＢは、図６と同様な方法でＣＳＩ−ＲＳのためのリソースをＵＥに通知することができる。ミュートされたリソースに関して、ｅＮＢは、Ｃｏｎｆｉｇ．０、２、５のうちのどの構成リソースがＲＲＣ信号によってミュートされたかをＵＥに知らせることができ、または、Ａ２内で構成のうちの１つを、例えば図７に示されているようにＣｏｎｆｉｇ．５をデフォルトでミュートすることができ、そして、そのような場合、ＲＲＣ信号は必要とされない。
【００８６】
２４個のＣＳＩ−ＲＳポートに対して、同じ２つの１２ポートＣＳＩ−ＲＳ構成を、ＰＲＢ＃ｎおよびＰＲＢ＃ｎ＋１に構成することができる。すなわち、この場合、Ａ１（１２）＝Ａ２（１２）、Ｎ１（１２）＝Ａ１（１２）、Ｎ２（１２）＝Ａ２（１２）であり、ミューティングは必要ない。
【００８７】
別の実施形態は、本開示の実施形態による２４個のＣＳＩ−ＲＳポートに対するさらに別のＣＳＩ−ＲＳポートリソース割り当て方式である。この方式では、ｅＮＢは、２つのＰＲＢペア伝送グループに対して２つの８ポートＣＳＩ−ＲＳリソース、すなわちＡ１＝Ａ２を構成することができる。各グループでは、各ＰＲＢの構成された１６ポートＣＳＩ−ＲＳリソースから、Ａ１およびＡ２の１２ポートＣＳＩ−ＲＳリソースが選択される。したがって、各ＰＲＢグループ内のＵＥには１２個のＲＥのみが構成される。１つの８ポートＣＳＩ−ＲＳリソースは２つの４ポートＣＳＩ−ＲＳリソースで構成されるため、１つの４ポートＣＳＩ−ＲＳリソースが使用されないか、各グループで２つの２ポートＣＳＩ−ＲＳリソースが使用されない。この１つの４ポートまたは２つの２ポートＣＳＩ−ＲＳリソースは、ＲＲＣシグナリングによって構成され、あるいは、４ポートまたは２つの２ポートＣＳＩ−ＲＳリソースをｅＮＢとＵＥ間のデフォルト情報にすることもできる。さらに、未使用の４ポートまたは２つの２ポートＣＳＩ−ＲＳリソースは、２つのＰＲＢペア送信グループで異なるようにすることもできる。言い換えれば、異なるＰＲＢペア送信グループ内で、２つの１２ポートＣＳＩ−ＲＳ構成リソースを異なるように選択することができる。
【００８８】
図８は、本開示の実施形態による、ＦＤＭモードの２８個のＣＳＩ−ＲＳポートに対する別のＣＳＩ−ＲＳポートリソース割り当て方式を示す。図８に示すように、送信リソースグループも同様に分割され、第１送信リソースグループはＰＲＢ＃ｎを含み、第２送信リソースグループはＰＲＢ＃ｎ＋１を含む。ＰＲＢ＃ｎについては、Ｒｅｌ−１３構成メカニズムに基づいて、１６ポートＣＳＩ−ＲＳリソースＡ１がＵＥに構成され、２つの８ポートＣＳＩ−ＲＳ構成が構成され、Ａ１＝Ｃｏｎｆｉｇ．０＋Ｃｏｎｆｉｇ．２である。ＰＲＢ＃ｎ＋１の場合、１２ポートＣＳＩ−ＲＳリソースＡ２は、Ａ１のサブセットであり、ＵＥに設定される。この場合、ＣＳＩ−ＲＳアンテナポートの実数は、割り当てられたＣＳＩ−ＲＳリソースＲＥに等しく、すなわち、Ｎ１＝Ａ１＞Ｎ２＝Ａ２であり、Ｎ２がＮ１のサブセットであることを意味する。そのような場合、ｅＮＢは、割り当てられた１６ポートＣＳＩ−ＲＳリソースＡ１を示すための指示を送信し、Ａ２の未使用ＲＥについて、ｅＮＢは、４つのグループのうちのどれが選択されていないかをＵＥに通知する、または４つのグループのうちの３つがＲＲＣ信号によって、例えば２ビットで、選択される。あるいは、Ａ２は、Ａ１のデフォルトサブセットであってもよく、ＲＲＣシグナリングが必要でないことを意味する。図８の点線のブロックで説明したように、ＰＲＢ＃ｎ＋１の右側の８ポートＣＳＩ−ＲＳのＣｏｎｆｉｇ．２を選択することはできない。すなわち、ｅＮＢは、図６と同様にＣＳＩ−ＲＳのためのリソースをＵＥに通知することができるが、未使用のＲＥはミュートされていないものであり、ＵＥのために選択されておらず、すなわちＵＥに割り当てられていないものである。さらに、ＲＥが選択されないために、それらは、ＲＲＣシグナリングのような指示によってＵＥに通知されることができ、または選択されないＲＥは、ｅＮＢとＵＥとの間のデフォルト情報であり、このような場合、ＲＣＣシグナリングが要求される。あるいは、第１構成リソースグループＮ１の指示に加えて、ｅＮＢは、ステップ５０４において、第２構成リソースグループの指示をＵＥに直接送信することもできる。そのような場合、選択されないリソースは、第１構成リソースグループＮ１および第２構成リソースグループＮ２に基づいて決定され、ＲＲＣシグナリングまたはデフォルト情報は必要ない。
【００８９】
したがって、本開示の実施形態では、ＣＳＩ−ＲＳアンテナポート｛２０、２４、２８、３２｝について、すべてのアンテナポートが２つの隣接するＲＢペア内に配置され、Ｎ１ポートＣＳＩ−ＲＳリソースＡ１は、第１ＰＲＢペア内に構成され、Ｎ２ポートＣＳＩ−ＲＳリソースＡ２はＡ１のサブセットであり、したがってＡ１、Ｎ２＝Ｎ１またはＮ２＜Ｎ１に基づいて構成される。具体的には、２８および３２ポートの場合、２つの８ポートＣＳＩ−ＲＳ構成がＵＥに設定される。従来の設定メカニズムでは、２つの８ポートＣＳＩ−ＲＳ構成がＲＲＣ信号によって構成される。したがって、各ＲＢペアでは、１６ポートのＣＳＩ−ＲＳリソースが構成される。換言すれば、ｅＮＢは、レガシー構成メカニズム、すなわち２つの８ポートＣＳＩ−ＲＳ構成によって、１つの１６ポートＣＳＩ−ＲＳリソースをすべてのＰＲＢペアに対して１回だけ構成すればよい。隣接する２つのＲＢを組み合わせることにより、２８個のＣＳＩ−ＲＳポートと３２個のＣＳＩ−ＲＳポートの両方に対して、３２個のＲＥがＵＥに割り当てられる。特に２８ポートの場合、ＰＲＢグループの１つの４つのＲＥは、デフォルト情報またはＲＲＣシグナリングによってミュートされるか、または使用されない。一方、２０ポートおよび２４ポートの場合、３つの４ポートＣＳＩ−ＲＳ構成がＵＥに設定される。レガシー構成メカニズムを利用することにより、３つの４ポートＣＳＩ−ＲＳ構成がＲＲＣ信号によって構成される。したがって、すべてのＲＢにおいて、１２ポートＣＳＩ−ＲＳリソースが構成され、２つの隣接するＲＢを結合することによって、２０個のＣＳＩ−ＲＳポートと２４個のＣＳＩ−ＲＳポートの両方に対してＵＥに２４個のＲＥが割り当てられる。言い換えれば、ｅＮＢは、レガシー構成メカニズム、すなわち３つの４ポートＣＳＩ−ＲＳ構成によって、ＰＲＢペアごとに１つの１２ポートＣＳＩ−ＲＳリソースを１回だけ構成すればよい。したがって、８ポート構成、４ポート構成または２ポート構成などのレガシーポート構成の組み合わせを使用することにより、より多くのポートをＣＳＩ−ＲＳリソースでサポートすることができる。特に、２０ポートの場合、ＰＲＢグループの１つの４つのＲＥは、デフォルト情報またはＲＲＣシグナリングによってミュートされるか、または使用されない。
【００９０】
図９は、本開示の実施形態による、ＦＤＭモードの２８個のＣＳＩ−ＲＳポートに対するさらなるＣＳＩ−ＲＳポートリソース割り当て方式を示す。図８と図９に示す方式の違いは、ＰＲＢ＃ｎ＋１で使用されていないＲＥは、隣接する４つのＲＥではなく、４ポートＣＳＩ−ＲＳ構成のうちの１つであるという点である。そのような場合、ｅＮＢは、４ポートＣＳＩ−ＲＳ構成のうちのどれがＲＲＣシグナリングによって選択されないかを、例えば２ビットで、ＵＥに通知することができる。図では、Ｃｏｎｆｉｇ．５は破線で示すようにして選択されていないため、Ａ２は１２ポートのＣＳＩ−ＲＳリソースのみを占有する。おそらく、２０個のＣＳＩ−ＲＳポートに対して、図７に示したものと同様の方式を採用することができるが、それらの未使用ＲＥはミュートされず、ＵＥに割り当てられるように選択されていない。
【００９１】
図１０は、本開示の実施形態による、２８個のＣＳＩ−ＲＳポートに対するさらに別のＣＳＩ−ＲＳポートリソース割り当て方式を示す。この方式では、ｅＮＢは２つのＰＲＢ送信グループに対して２つの８ポートＣＳＩ−ＲＳリソース、すなわちＡ１＝Ａ２を構成することができ、各グループでは、Ａ１およびＡ２用の１４ポートＣＳＩ−ＲＳリソースが、各ＰＲＢ用に設定された１６ポートＣＳＩ−ＲＳリソースから選択される。したがって、各ＰＲＢグループ内のＵＥには１４個のＲＥしか構成されない。１つの８ポートＣＳＩ−ＲＳリソースは４つの２ポートＣＳＩ−ＲＳリソースで構成されるため、１つの２ポートＣＳＩ−ＲＳリソースは各ＰＲＢペアグループで使用されない。この１つの２ポートＣＳＩ−ＲＳリソースは、ＲＲＣシグナリングによって、例えば３ビットで構成することができ、または、２ポートＣＳＩ−ＲＳリソースは、ｅＮＢとＵＥとの間のデフォルト情報である。さらに、未使用の２ポートＣＳＩ−ＲＳリソースは、２つのＰＲＢペア送信グループにおいて異なる。
【００９２】
図１１は、本開示の実施形態による２０個のＣＳＩ−ＲＳポートのための別のＣＳＩ−ＲＳポートリソース割り当て方式を示す。この方式では、ｅＮＢは、２つのＰＲＢ送信グループに対して３つの４ポートＣＳＩ−ＲＳリソース、すなわちＡ１＝Ａ２を構成することができ、各グループにおいて、Ａ１およびＡ２の１０ポートＣＳＩ−ＲＳリソースは各ＰＲＢの１２ポートＣＳＩ−ＲＳリソースを構成する。したがって、各ＰＲＢグループ内のＵＥには１０個のＲＥしか構成されず、例えば、図１１の各ＰＲＢ内の上部にあるＣｏｎｆｉｇ．５に示すように、１個の２ポートＣＳＩ−ＲＳリソースは各ＰＲＢペアグループ内で使用されない。この１つの２ポートＣＳＩ−ＲＳリソースは、ＲＲＣシグナリングによって構成することができ、あるいは、２ポートＣＳＩ−ＲＳリソースは、ｅＮＢとＵＥとの間のデフォルト情報とすることができる。さらに、未使用の２ポートＣＳＩ−ＲＳリソースは、２つのＰＲＢペア送信グループにおいて異なることができる。
【００９３】
図１２は、本開示の実施形態によるＴＤＭモードにおける例示的な送信リソースグループ分割およびＣＳＩ−ＲＳポートリソース割り当て方式を示す。すべてのポートＣＳＩ−ＲＳリソースＲＥは、異なるサブフレーム（サブフレームｎおよびｍ）内の２つのＰＲＢグループ（ＰＲＢ＃ｘ）内に割り当てられる。例えば、１６（Ｎ１）ポートのＣＳＩ−ＲＳリソースは第１サブフレームグループｎに構成され、１２（Ｎ２）ポートＣＳＩ−ＲＳリソースは第２サブフレームグループｍに構成され、それは、４つのＲＥまたはポート構成がミュートまたは未割り当ての１６（Ｎ１）ポートＣＳＩ−ＲＳリソースから選択される。したがって、図６乃至図９の方式と同様に、Ｎ２もＮ１のサブセットであり、すなわち、Ｎ２＜Ｎ１、または、Ｎ２＝Ｎ１である。実際、ＴＤＭとＦＤＭのリソース割り当て方式の違いは、送信リソースの分割にあり、他の特定のリソース割り当てはＦＤＭのリソース割り当てを再利用できる。たとえば、同じポートリソースをサブフレームの第１および第２グループに対して構成することができ、使用されないサブリソースはミュートすることができる。または代わりに、使用されないものは、データまたは他のＲＳ送信のためにＵＥに全く割り当てられない。さらに、リソース構成に関する情報は、ＦＤＭモードを参照して説明したのと同様の解決手段によってＵＥに送信することができる。
【００９４】
また、電力バランスを保つために、各送信リソースグループ内に異なる構成リソースを割り当てることが可能であり、すなわち、Ａ１／Ａ２がすべて同じではなく、電力バランス問題を解決するために変更することができる。例えば、Ａ２関連のＰＲＢグループ内の２つのＰＲＢ毎に異なるＡ２が使用される。図１３は、本開示の実施形態による、ＦＤＭモードにおける２８ポートＣＳＩ−ＲＳ構成のＣＳＩ−ＲＳポートリソース割り当て方式を示す。図１３に示すように、第２送信リソースグループにおいて、ＰＲＢ＃ｎ−１及びＰＲＢ  ｎ＋１は、４つのＲＥがミュート又は未割り当てである２つの近接した送信リソースである。そのような場合、ＰＲＢ＃ｎ−１では、８ポートＣＳＩ−ＲＳのＣｏｎｆｉｇ．０を含むＯＦＤＭシンボル内の１つの４−ＲＥｓグループが使用されず、ＰＲＢ  ｎ＋１では、８ポートＣＳＩ−ＲＳのＣｏｎｆｉｇ．２を含むＯＦＤＭシンボル内の１つの４−ＲＥｓグループは使用されない。したがって、ＰＲＢ＃ｎ−１のリソースＡ２とＰＲＢ＃ｎ＋１のリソースＡ２は異なるが、ＣＳＩ−ＲＳのＲＥの数を異なるシンボルに維持することは可能である。本開示の別の実施形態では、ミュートまたは割り当てられるリソースは、隣接する４つのＲＥではなく、Ｃｏｎｆｉｇ．５のような４ポートのリソース構成である。
【００９５】
図５に戻って参照すると、ステップ５０６において、ｅＮＢは、第１構成リソースグループまたは第２構成リソースグループ内で、ミュートされたリソース要素またはポート構成を指示するために、ＵＥにゼロ電力（ＺＰ:Zero Power）ＣＳＩ−ＲＳ構成の指示を送信する。したがって、ＺＰ  ＣＳＩ−ＲＳは、例えば、信号干渉を回避するために、単一の送信リソースグループに対して構成することができる。すなわち、異なる送信リソースグループに対して、ＺＰ  ＣＳＩ−ＲＳ構成によって異なるＺＰ  ＣＳＩ−ＲＳを構成することが可能である。図１４に示すように、これらのＲＥ内にＺＰ  ＣＳＩ−ＲＳを構成する必要があるいくつかのＵＥの場合、２８個のポートについて、ｅＮＢは異なる送信グループに異なるＺＰ  ＣＳＩ−ＲＳを構成することができる。例えば、ｅＮＢは、既存のメカニズムを使用して、１つのサブフレーム内のすべてのＰＲＢに対してＺＰ  ＣＳＩ−ＲＳを構成することができる。ｅＮＢは既存のビットマップを使用して、４ポートＣＳＩ−ＲＳ設定でＺＰ  ＣＳＩ−ＲＳ設定０、２、５、７を設定できる。次に、ｅＮＢは新しいＺＰ  ＣＳＩ−ＲＳ設定指示を使用してＺＰ−ＣＳＩ−ＲＳを設定し、Ｃｏｎｆｉｇ．５は、ＰＲＢ＃ｎを含むＰＲＢグループに対してのみ使用され、ＰＲＢ＃ｎ＋１を含むＰＲＢグループでは使用されない。
【００９６】
図１３を参照して説明した解決策では、新しいＺＰ  ＣＳＩ−ＲＳ構成を使用することも可能である。新しいＺＰ  ＣＳＩ−ＲＳは、送信リソースグループのサブセットを構成するために使用することができ、したがって、異なるＺＰ  ＣＳＩ−ＲＳは、ＰＲＢ＃ｎ−１およびＰＲＢ＃ｎ＋１に対して構成される。言い換えれば、ＰＲＢグループはＰＲＢ＃ｎ−１を含み、＃ｎ＋１は２つのサブグループにさらに分割することができ、ＺＰ  ＣＳＩ−ＲＳは２つのサブグループに対して別々に構成することができる。
【００９７】
さらに、さらに新しいＺＰ  ＣＳＩ−ＲＳ構成も導入することができる。この場合、レガシー１６ポートＣＳＩ−ＲＳの１つのＣＤＭ−４グループが１つのユニットを形成できる。換言すれば、各８ポートＣＳＩ−ＲＳリソースは２つのユニットに分割することができる。図１５で説明したように、通常のサブフレーム及び通常ＣＰについては、全てのＣＳＩ−ＲＳリソース（ＦＤＤ用の５つの８ポートＣＳＩ−ＲＳ構成）を１０ユニット（ユニット０乃至ユニット９）に分割し、ｅＮＢはＲＲＣ信号ユニット０乃至ユニット９のいくつかをＺＰ  ＣＳＩ−ＲＳとして構成する。したがって、そのような場合、ＺＰ  ＣＳＩ−ＲＳ構成は、特定のＣＳＩ−ＲＳ構成の代わりに１つまたは複数のユニットに向けられる。
【００９８】
本開示の実施形態では、ｅＮＢにおいて、基準信号を送信するためのアンテナアレイは、第１送信リソースグループにマッピングされるように少なくとも第１サブアレイと第２サブアレイに分割することができる第２送信リソースグループとを含む。以下、図１６乃至図３８を参照して、アンテナアレイの分割を説明する。
【００９９】
本開示のいくつかの実施形態では、アンテナアレイは、アンテナアレイの行および／または列に基づいて分割される。３２個のＣＳＩ−ＲＳポートに対して、４×４×２（行ｘ列ｘ偏波）のアンテナアレイが使用される場合、アンテナアレイは行または列に基づいて分割される。例えば、２つの連続する行は、図１６に示すようにサブアレイを形成することができ、または２つの連続した列は、図１７に示すようにサブアレイを形成することができる。したがって、アンテナアレイは、ＰＲＢグループ１（第１送信リソースグループ）用のサブアレイ１（第１サブアレイ）と、ＰＲＢグループ２（第２送信リソースグループ）用のサブアレイ２（第２サブアレイ）と、に分割できる。次に、ＦＤＭモードでは、サブアレイは、図１８に示すようにＣＳＩ−ＲＳを送信するために一緒に結合された２つの隣接するＰＲＢ、すなわちＰＲＢ＃ｎおよびＰＲＢ＃ｎ＋１にマッピングすることができる。一方、ＴＤＭでは、サブアレイは、図１９に示すように、２つの異なるサブフレーム、すなわち、サブフレーム＃ｎおよびサブフレーム＃ｍにマッピングすることができる。図１８及び図１９は、３２ポートＣＳＩ−ＲＳの設定を例に挙げ、他のポート設定では、同様の方式を使用できる。
【０１００】
図２０及び図２１は、本開示の実施形態による３２個のＣＳＩ−ＲＳポートのための他の異なるサブアレイ分割を示しており、４×４×２アンテナアレイが使用されている。図２０では、２つの互い違いの行がサブアレイを形成し、具体的には、アレイの第１および第３の行がＰＲＢグループ１のサブアレイ１を形成し、アレイの第２および第４の行がＰＲＢグループ２のサブアレイ２を形成する。図２１では、互い違いの２つの列がサブアレイを形成し、具体的には、アレイの第１および第３の列がＰＲＢグループ１のサブアレイ１を形成し、第２および第４の列がＰＲＢグループ２のサブアレイ２を形成する。
【０１０１】
また、図２２及び図２３は、本開示の実施形態による３２個のＣＳＩ−ＲＳポートのためのさらに別のサブアレイ分割を示し、２×８×２アンテナアレイまたは８×２×２アンテナアレイが使用される。図２２では、４つの連続する列がサブアレイを形成し、具体的には、アンテナアレイの第１列から第４列がＰＲＢグループ１のサブアレイ１を形成し、アレイの第５列と第８列がＰＲＢグループ２のためのサブアレイ２を形成する。図２３では、４つの連続した行がサブアレイを形成し、具体的には、アレイの第１行から第４行がＰＲＢグループ１のサブアレイ１を形成し、アレイの第５行と第８行がＰＲＢグループ２のためのサブアレイ２を形成する。
【０１０２】
また、図２４及び図２５は、２ｘ８ｘ２アンテナアレイまたは８ｘ２ｘ２アンテナアレイが使用される、本開示の実施形態による３２個のＣＳＩ−ＲＳポートのさらに別のサブアレイ分割を示す。図２４では、４つの互い違いの列がサブアレイを形成し、具体的には、アレイの第１列、第３列、第５列および第７列がＰＲＢグループ１のサブアレイ１を形成し、アレイの第２列、第４列、第６列および第８列は、ＰＲＢグループ２のサブアレイ２を形成する。図２５では、４つの互い違いの行がサブアレイを形成し、具体的には、アレイの第１、第３、第５および第７行がＰＲＢグループ１のサブアレイ１を形成し、アレイの第２、第４、第６および第８行は、ＰＲＢグループ２のサブアレイ２を形成する。
【０１０３】
また、図２６及び図２７は、本開示の実施形態による２８個のＣＳＩ−ＲＳポートに対する異なるサブアレイ分割を示し、２×７×２または７×２×２アンテナアレイが使用される。図２６では、連続した列がサブアレイを形成しているが、サブアレイ１とサブアレイ２のポート数は異なる。具体的には、アレイの第１列から第４列はＰＲＢグループ１のサブアレイ１を形成し、アレイの第５列と第７列はＰＲＢグループ２のサブアレイ２を形成する。図２７では、連続する行がサブアレイを構成し、サブアレイ１とサブアレイ２のポート数が異なる。具体的には、アレイの第１行から第４行はＰＲＢグループ１のサブアレイ１を形成し、アレイの第５行と第７行はＰＲＢグループ２のサブアレイ２を形成する。
【０１０４】
また、図２８及び図２９は、本開示の実施形態による２８個のＣＳＩ−ＲＳポートのための他の異なるサブアレイ分割を示し、２×７×２または７×２×２アンテナアレイが使用される。図２６及び図２７に示したものとは異なる。アンテナアレイは２つの重複するグループに分割され、図２８及び図２９に示すように、重複する部分はドットのあるエリアによって示される。したがって、これらの２つの方式では、サブアレイ１とサブアレイ２は、オーバーラップ部分が両方のＰＲＢグループで使用されるため、同じ数のポートを持つ。
【０１０５】
また、図３０及び図３１は、本開示の実施形態による２４個のＣＳＩ−ＲＳポートに対する異なるサブアレイ分割を示し、３×４×２アンテナアレイが使用される。図３０では、アンテナアレイの１つの行がサブアレイを形成し、２つの連続する行が別のサブアレイ２を形成する。具体的には、アレイの第１列はＰＲＢグループ１のサブアレイ１を形成し、アレイの第２および第３の列はＰＲＢグループ２のサブアレイ２を形成する。図３１では、連続する列はサブアレイを形成する。具体的には、アレイの第１および第２列は、ＰＲＢグループ１のサブアレイ１を形成し、アレイの第３および第４の列は、ＰＲＢグループ２のサブアレイ２を形成する。
【０１０６】
また、図３２及び図３３は、本開示の実施形態による２４個のＣＳＩ−ＲＳポートのための他の異なるサブアレイ分割を示し、４×３×２アンテナアレイが使用される。図３２では、２つの連続する行がサブアレイを形成している。具体的には、アレイの第１および第２行は、ＰＲＢグループ１のサブアレイ１を形成し、アレイの第３および第４の行は、ＰＲＢグループ２のサブアレイ２を形成する。図３３では、アンテナアレイの１つの列がサブアレイを形成し、２つの連続する列が別のサブアレイを形成する。具体的には、アレイの第１および第２列は、ＰＲＢグループ１のサブアレイ１を形成し、アレイの第３の列は、ＰＲＢグループ２のサブアレイ２を形成する。
【０１０７】
また、図３４及び図３５は、本開示の実施形態による２０個のＣＳＩ−ＲＳポートの異なるサブアレイ分割を示し、２×５×２または５×２×２のアンテナアレイが使用される。図３４では、連続した列はサブアレイを形成するが、サブアレイ１とサブアレイ２は異なる数のポートを有する。具体的には、アレイの第１列から第３列がＰＲＢグループ１のサブアレイ１を形成し、アレイの第４列と第５列がＰＲＢグループ２のサブアレイ２を形成する。図３５では、連続する行がサブアレイを構成しているが、サブアレイ１とサブアレイ２のポート数は異なる。具体的には、アレイの第１行から第２行はＰＲＢグループ１のサブアレイ１を形成し、アレイの第３行と第５行はＰＲＢグループ２のサブアレイ２を形成する。
【０１０８】
また、図３６及び図３７は、本開示の実施形態による２０個のＣＳＩ−ＲＳポートに対する他の異なるサブアレイ分割を示し、２×５×２または５×２×２のアンテナアレイが使用される。図３４及び図３５に示したものとは異なる。アンテナアレイは２つの重複するグループに分割され、重複する部分は、図３６及び図３７に示すように、ドットを有する領域によって示される。したがって、これらの２つの方式では、サブアレイ１とサブアレイ２は、オーバーラップ部分が両方のＰＲＢグループで使用されるため、同じ数のポートを持つ。
【０１０９】
本開示のいくつかの実施形態では、第１サブアレイおよび第２サブアレイのうちの少なくとも１つは、第１構成リソースグループおよび第２構成リソースグループのそれぞれの異なる構成リソースにマッピングされるように、複数のサブアレイグループにさらに分割することができる。換言すれば、異なるサブアレイグループは、各送信リソースグループ内の異なるＣＳＩ−ＲＳ構成リソースにマッピングすることができる。サブアレイは、アンテナアレイの行および／または列、またはアンテナアレイ内のアンテナの偏光方向に基づいて分割することができる。例えば、ＣＤＭ−２とＣＤＭ−４では、サブアレイを分割する仕組みが異なる場合がある。ＣＤＭ−２の場合、サブアレイは、単一の送信リソースグループに異なる偏波を備えることができるので、アンテナアレイの行および／または列に基づいて分割することができる。一方、ＣＤＭ−４の場合、単一の送信リソースグループは同じ偏波を持つアンテナを使用するため、サブアレイはアンテナアレイの偏波方向に基づいて分割することができる。
【０１１０】
図３８は、本開示の実施形態による、ＣＤＭ−２を有する３２個のＣＳＩ−ＲＳポートのための例示的なサブアレイグループ分割を示す。図３８に示すように、各ＰＲＢに２つの８ポートＣＳＩ−ＲＳ構成が割り当てられ、各サブアレイ１と２は、行に基づいて２つのサブアレイグループ１と２にさらに分割され、各サブアレイグループ１および２は、ＰＲＢ＃ｎまたはＰＲＢ＃ｎ＋１内の１つの８ポートＣＳＩ−ＲＳ構成にマッピングされる。サブアレイ１内のサブアレイグループ１は、ＰＲＢ＃ｎのＣｏｎｆ０にマッピングされ、サブアレイ１内のサブアレイグループ２は、ＰＲＢ＃ｎのＣｏｎｆ２にマッピングされ、サブアレイ２内のサブアレイグループ１は、ＰＲＢ＃ｎ＋１のＣｏｎｆ０にマッピングされ、サブアレイ２内のサブアレイグループ２は、ＰＲＢ＃ｎ＋１のＣｏｎｆ２にマッピングされる。しかし、サブアレイ１および２は、列のような、または行と列の両方の他の規則に基づいて、２つのサブアレイグループ１および２に分割することができる。
【０１１１】
図３９は、本開示の実施形態によるＣＤＭ−２を有する２８個のＣＳＩ−ＲＳポートのための例示的なサブアレイグループ分割を示す。図３９では、アンテナアレイを、図２８に示すような方式で２つのサブアレイ１と２に分割し、各サブアレイ１と２を、図３９に示されているように、行に基づいてさらに２つのサブアレイグループ１と２に分割する。同様に、サブアレイグループ１および２の各々は、ＰＲＢ＃ｎまたはＰＲＢ＃ｎ＋１内の１つの８ポートＣＳＩ−ＲＳ構成にマッピングされる。
【０１１２】
図４０は、本開示の実施形態によるＣＤＭ−４を有する３２個のＣＳＩ−ＲＳポートのためのサブアレイグループ分割の例を示す。図４０に示すように、各ＰＲＢに２つの８ポートＣＳＩ−ＲＳ構成が割り当てられ、各サブアレイ１と２は、それぞれの偏波に基づいて２つのサブアレイグループ１と２にさらに分割され、サブアレイグループ１と２は、１つの８ポートＣＳＩ−ＲＳ構成にマッピングされる。サブアレイグループ１は、第１偏波（実線で示す）を有するアンテナを備え、サブアレイグループ２は、異なる第２偏波（点線で示される）を有するアンテナを備える。サブアレイ１のサブアレイグループ１と２は、ＰＲＢ＃ｎ内のＣｏｎｆｉｇ．０とＣｏｎｆｉｇ．２にそれぞれマップする。サブアレイ２のサブアレイグループ１と２は、ＰＲＢ＃ｎ＋１内のＣｏｎｆｉｇ．０とＣｏｎｆｉｇ．２にそれぞれマップする。
【０１１３】
２８および３２アンテナポートの場合、ｅＮＢはＲｅｌ−１３のＵＥから１６ＣＳＩ−ＲＳポートを設定できることに注意しなければならない。したがって、Ｒｅｌ−１３のＵＥと新しいＵＥは、同じＣＳＩ−ＲＳリソースを共有する。実際、Ｒｅｌ−１３のＵＥによって測定されたＰＲＢ＃ｎおよびＰＲＢ＃ｎ＋１における１６ポートＣＳＩ−ＲＳは、異なるアンテナポートからのものであるが、Ｒｅｌ−１３のＵＥに対しては透過的である。この意味で、レガシーＵＥに対するチャネル推定に影響を与える可能性がある。しかしながら、本明細書で説明されている解決策は、新しいＵＥとレガシーＵＥが同じ方法でＣＤＭを使用することができ、レガシーＵＥが追加のＣＳＩ−ＲＳリソースを必要としないので、ＣＳＩ−ＲＳオーバーヘッドを大幅に低減することができる。加えて、本明細書に記載されている全ての解決策は、ダウンリンクパイロットタイムスロット（ＤｗＰＴ:Downlink Pilot Time Slot）においても使用できることに留意されたい。
【０１１４】
図４１は、本開示の実施形態によるＴＤＭモードにおける２４個のＣＳＩ−ＲＳポートのための例示的なサブアレイグループ分割を示す。図４１に示すように、サブアレイ１は２つの８ポートＣＳＩ−ＲＳ構成を含み、サブアレイ２は１つの８ポートＣＳＩ−ＲＳ構成を含む。サブアレイ２は、その偏波に基づいて２つのサブアレイグループ１と２にさらに分割され、サブアレイグループ１と２のそれぞれは、サブアレイ２内の１つの８ポートＣＳＩ−ＲＳ構成にマッピングされる。サブアレイグループ１は、第１偏波（実線で示す）を有するアンテナを備え、サブアレイグループ２は、異なる第２偏波（点線で示される）を有するアンテナを備える。サブアレイ１のサブアレイグループ１と２は、サブフレーム＃ｎ内のＣｏｎｆｉｇ．０とＣｏｎｆｉｇ．２のそれぞれにマップされ、サブアレイ２は、図４２に示すように、サブフレーム＃ｍ内の８ポートＣＳＩ−ＲＳ構成（Ｃｏｎｆｉｇ．１）上にマッピングする。
【０１１５】
２つのサブフレーム＃ｍおよび＃ｎは、より良好なチャネル推定のために、２つの連続するサブフレームまたは近接したサブフレームよりも優れていることに留意されたい。この場合、ｅＮＢは、サブフレーム＃ｎにおいてＣＤＭ−４を有するレガシーＲｅｌ−１３のＵＥに１６個のＣＳＩ−ＲＳポートを構成することができる。あるいは、ｅＮＢは、レガシーＵＥの８ポートをＣＤＭ−２で構成することもできる。
【０１１６】
アンテナアレイ分割方式は、上述したＣＳＩ−ＲＳポート拡張ソリューションに限定されず、異なる送信リソースグループが使用される任意のソリューションに適用することもできることに留意されたい。
【０１１７】
加えて、図３８乃至図４２は、サブアレイグループ分割の一例であり、本発明はこれに限定されるものではない。さらに、これらの実施形態は、すべての可能なポートについてサブアレイグループ分割のすべての可能性を示すわけではない。当業者であれば、本明細書に記載された考え方および原理に基づいて分割を実施することができる。
【０１１８】
より多くのＣＳＩ−ＲＳポートがサポートされる場合、より高次ＯＣＣシーケンスを使用することができる。たとえば、長さが８のＯＣＣシーケンスを使用できる。図４３は、本開示の実施形態による、ＯＣＣのための直交可変拡散係数（ＯＶＳＦ:Orthogonal Variable Spreading Factor）の一例を示す。図４３から、ＯＶＳＦは８×８行列であることが明らかである。
【０１１９】
高次ＯＣＣシーケンスが使用される場合、ＣＤＭ−８をサポートすることができ、より良いチャネル推定を達成することができ、同様に、閾値６ｄＢを超えないパワーブーストを保証することができる。既存の解決策では、電力ブースティングのために６ｄＢの閾値があり、本開示で述べる解決策を使用する場合、送信リソースグループが使用され、より多くのＲＥが使用されるので、パワーブーストが閾値６ｄＢを超えるおそれがある。しかし、ＣＤＭ−８によって、８ポートＣＳＩ−ＲＳは１つのレガシー８ポートＣＳＩ−ＲＳリソースにマッピングすることができる。すなわち、１つのレガシー８ポートＣＳＩ−ＲＳリソースはＣＤＭ−８グループである。本開示の実施形態では、同じリソース構成が高次ＯＣＣシーケンスを使用して多重化され、および／または異なるリソース構成が高次ＯＣＣシーケンスを使用して多重化される。
【０１２０】
図４４に示すように、３２ポートＣＳＩ−ＲＳの場合、ＣＤＭ８によって、ＣＳＲ−ＲＳは、ＰＲＢ＃ｎとＰＲＢ＃ｎ＋１内の８ポートＣＳＩ−ＲＳ構成２と３にマッピングされ、全てのＣＳＩ−ＲＳポートは、２つのＰＲＢ内にマッピングされる。
【０１２１】
単一のＰＲＢ内の３２個のポートの場合には、ＣＤＭ８を使用することも可能である。図４５に示すように、ＣＤＭ８によって、ＣＳＲ−ＲＳはＰＲＢ＃ｎ内の８ポートＣＳＩ−ＲＳ構成０、１、２、３にマッピングされ、したがって、全てのＣＳＩ−ＲＳポートは１つのＰＲＢ内にマッピングされる。
【０１２２】
図４６は、本開示の実施形態による、ＦＤＭモードの３２個のＣＳＩ−ＲＳポートに対するＣＤＭ８の別の方式を示す。図４６に示すように、８ポートＣＳＩ−ＲＳは、第１の８ポートＣＳＩ−ＲＳ構成の一部と第２の８ポートＣＳＩ−ＲＳ構成の一部とから組み合わされたＲＥにマッピングすることができる。つまり、リソースグループ０とリソースグループ２とはＣＤＭ８によって結合される。
【０１２３】
図４７は、本開示の実施形態によるＴＤＭモードの３２個のＣＳＩ−ＲＳポートに対するＣＤＭ８のさらなる方式を示す。図４７に示すように、１つのＣＤＭ８グループ内の８ポートＣＳＩ−ＲＳは、サブフレーム＃ｎ内の第１の８ポートＣＳＩ−ＲＳリソースの部分と、サブフレーム＃ｍ内の第２の８ポートＣＳＩ−ＲＳリソースの部分から結合される。したがって、この方式では、第１パートおよび第２パートは、図４７の太線のブロック、破線のブロック、太い破線のブロックおよび明るい破線のブロックによって示されるように、異なるサブフレームから来る。
【０１２４】
さらに、ＯＣＣシーケンスは、レガシーＵＥに準拠するように構成することができる。本開示の一実施形態では、ＯＣＣシーケンスは、図４８に示すような第１シーケンスパートと第２シーケンスパートの２つの部分を含むことができ、第１シーケンスパートはレガシーＯＣＣシーケンスを含み、第２シーケンスパートは拡張ＯＣＣシーケンスを含む。第２列の破線で示されるシーケンスについて、第１シーケンスパートは、［１、１、１、１］であり、それは、ＲＡＮ１＃８４でのＲｅｌ．１３合意の３６．２１１  ｄ００内のＣＤＭ−４のために定義されたＯＣＣシーケンスであり、第２シーケンスパートは新しい［−１  −１  −１  −１］である。
【０１２５】
図４９に示すように、第１シーケンスパートは第１サブフレーム＃ｎにマッピングされ、第２シーケンスパートは第２サブフレーム＃ｍにマッピングされる。したがって、レガシーＵＥおよび新しいＵＥは、第１サブフレームにおいて同じＣＳＩ−ＲＳリソースを共有することができる。すなわち、レガシーユーザが使用できる構成リソースは、第１シーケンスパートを使用して多重化される。この場合、レガシーＵＥによって測定されたアンテナポートは、２つの新しいポートによって仮想化される。
【０１２６】
１つのＣＤＭ８グループ内の８つのポートについて、各ポートは８つのＲＥにマッピングされ、８つの長さのＯＣＣシーケンスに対応する。例えば、図５０に示すように、ポートａはＯＣＣシーケンス［１１１１１１１１］に対応し、ポートｂはＯＣＣシーケンス［１１１１−１−１−１−１］に対応し、２つのＯＣＣシーケンスが同じ第１シーケンスパートを共有することは明らかである。図４９を参照して説明したように、ＣＳＩ−ＲＳリソースを共有するレガシーＵＥの場合、４長のＯＣＣシーケンス［１１１１］に対応するポートｉの測定チャネル値は、実際にはポートａおよびポートｂを有する複合チャネルである。言い換えれば、測定されたチャネル値ｈｉ＝ｈａ＋ｈｂである。
【０１２７】
さらに、１つのＣＤＭ８グループ内の８つのポートについては、図５１に示すように、バイナリ値の代わりにｅｊθを掛けるように、いくつかのアンテナポートにＯＣＣシーケンスを設定することができる。θは、展開時に最適なダウンチルトで設定できる。１つまたは複数のθの候補が、ＲＲＣシグナリングによって新しいＵＥに通知される。次に、ｈｉ＝ｈａ＋ｈｂ＊ｅｊθとする。
【０１２８】
ＣＤＭ８方式は、すべてのポートが単一のＰＲＢ内に位置し、２つの異なる送信リソースグループを有する解決策に限定されない解決策に適用することもできることに留意されたい。実際には、４つのＲＥを一緒に組み合わせることができる任意の解決法にＣＤＭ−８方式を適用することが可能である。
【０１２９】
本開示の実施形態では、ＣＳＩ−ＲＳのような基準信号用のより多くのポートをサポートすることができ、レガシーＣＳＩ−ＲＳリソース構成メカニズムは再利用することができ、同時に、ＲＲＣ信号オーバーヘッド、標準の複雑さ、およびレガシーＵＥ上のインパクトを大幅に削減することができる。
【０１３０】
さらに、本開示では、図５２を参照して説明する基準信号を受信する方法も提示する。図５２は、本開示に従って、基準信号を受信する方法のフローチャートをさらに示す。方法５２００は、ＵＥのような端末装置で実行することができる。
【０１３１】
図５２に示すように、最初にステップ５２０１で、第１送信リソースグループ内の第１構成リソースグループで基準信号を受信し、ステップ５２０２で、第２送信リソースグループ内の第２構成リソースグループで基準信号を受信する。特に、第１構成リソースグループは、基準信号のために割り当てられたリソース構成に基づいて決定され、第２構成リソースグループは、第１構成リソースグループのサブセットである。
【０１３２】
上述のように、送信リソースは少なくとも２つの送信リソースグループに分割され、送信リソースグループの両方からの送信リソースを組み合わせて基準信号が送信される。言い換えれば、少なくとも２つのＰＲＢまたは少なくとも２つのサブフレームが、チャネル推定値を改善するために、より多くのＣＳＩ−ＲＳポートをサポートするためにＣＳＩ−ＲＳのような基準信号を送信するために結合されて使用される。同時に、第１構成リソースグループおよび第２構成リソースグループが上記のように決定され、したがって、レガシーＣＳＩ−ＲＳリソース構成メカニズムが再使用される。つまり、割り当てられたリソース構成は、基準信号用のレガシーリソース構成の組み合わせを含む。レガシーリソース構成は、２ポート構成、４ポート構成および８ポート構成を含むことができる。第１構成リソースグループおよび／または第２構成リソースグループによって使用されておらずに割り当てられたリソース構成内のリソースは、ＲＲＣ信号によってＵＥに通知されて、それらをミュートまたは構成を取り消すことができる。したがって、ＲＲＣ信号オーバーヘッド、標準的な複雑さ、およびレガシーＵＥへの影響を低減することができる。
【０１３３】
たとえば、２８ポートおよび３２ポートの場合、２つの８ポートＣＳＩ−ＲＳ構成をＲＲＣ信号によってＵＥに構成することができ、したがって各ＲＢでは１６ポートＣＳＩ−ＲＳリソースが構成される。２つの隣接ＲＢをコーミングすることによって、２８個のＣＳＩ−ＲＳポートと３２個のＣＳＩ−ＲＳポートのために、ＵＥに全部で３２個のＲＥが割り当てられる。２８のＣＳＩ−ＲＳの場合、４つのＲＥまたは１つの４ポート構成は未使用である。未使用のリソースはミュートすることができ、あるいは、ＲＲＣ信号を使用して未使用リソースの割り当てをキャンセルすることができる。２０ポートおよび２４ポートの場合、３つの４ポートＣＳＩ−ＲＳ構成をＲＲＣ信号によってＵＥに設定することができ、したがって、各ＲＢでは１２ポートＣＳＩ−ＲＳリソースが構成される。２つの隣接するＲＢをコーミングすることによって、２０個のＣＳＩ−ＲＳポートと２４個のＣＳＩ−ＲＳポートのために、ＵＥに全部で２４個が割り当てられる。２０のＣＳＩ−ＲＳでは、４つのＲＥまたは１つの４ポート構成は未使用である。未使用のリソースはミュートすることができ、あるいは、ＲＲＣ信号を使用して未使用リソースの割り当てをキャンセルすることができる。
【０１３４】
ＦＤＭモードでは、第１送信リソースグループおよび第２送信リソースグループのうちの一方は、奇数番目の物理リソースブロックを含み、他方は偶数番目の物理リソースブロックを含むことができる。ＴＤＭモードでは、第１送信リソースグループおよび第２送信リソースグループのうちの一方は、第１サブフレームグループに物理リソースブロックを含み、他方は異なる第２サブフレームグループに物理リソースブロックを含む。したがって、ＴＤＭでは、第１サブフレームグループと第２サブフレームグループとが異なる限り、良好に機能する。
【０１３５】
リソース構成は、ｅＮＢとＵＲの両方で知られている所定のルールに基づいて割り当てられることが可能であり、リソース構成に関する詳細情報の通知を省略することができる。さらに、リソース構成に関する情報は、１つまたは複数の指示によって示すこともできる。例えば、ＵＥは、ステップ５２０３において、割り当てられたリソース構成の指示を受信することができる。次に、第１構成リソースグループは、割り当てられたリソース構成に基づいて決定され、第２構成リソースグループは、第１構成リソースグループに基づいて決定される。あるいは、ＵＥは、第１構成リソースグループの指示を受信し、第１構成リソースグループに基づいて第２構成リソースグループを決定することができる。さらに、別のオプションとして、ＵＥは、ステップ５２０４において、第２構成リソースグループの指示を受信することもできる。
【０１３６】
未使用リソースがＵＥに割り当てられていない場合、ＵＥは、リソース構成の指示を受信し、第１構成リソースグループおよび／または第２構成リソースグループに割り当てられないリソース構成のリソースの指示を受信することができる。したがって、余分なリソースはＵＥに割り当てられない。一方、未使用リソースがミュートされている場合、ミュートされる割り当リソース構成のリソースは、所定のリソース要素または所定のポート構成が含んでもよい。あるいは、ＵＥは、ステップ５２０５において、ミュートされるリソース要素またはポート構成の指示を受信することができる。
【０１３７】
さらに、電力バランスを保ち、または他のＵＥへの干渉を低減するために、ゼロ電力構成の指示をさらに使用することができる。したがって、ＵＥは、ステップ５２０６において、第１構成リソースグループまたは第２構成リソースグループにミュートされるリソース要素またはポート構成を示すゼロ電力構成の指示をさらに受信することができる。
【０１３８】
本開示の実施形態では、異なるレイヤに対する基準信号は、高次直交カバーコード（ＯＣＣ）シーケンスを有する同じ構成リソース、例えば図４３に示すような８の長さを有するものから得ることができる。したがって、ＣＤＭ８を使用することができ、高次ＯＣＣシーケンスを使用して同じリソース構成を多重化することが可能であり、高次ＯＣＣシーケンスを使用して異なるリソース構成を多重化することが可能である。本開示の一実施形態では、高次ＯＣＣシーケンスは、レガシーＯＣＣシーケンスを含む第１シーケンスパートと、拡張ＯＣＣシーケンスを含む第２シーケンスパートとを含むことができる。したがって、レガシーユーザが使用できる構成リソース上の異なるレイヤの基準信号は、第１シーケンスパートを使用することによって得られ、レガシーＵＥへの影響をさらに大幅に低減することができる。
【０１３９】
方法５２００は、図５２を参照して簡単に説明されることに留意されたい。方法５２００におけるステップおよび特徴は、図５乃至図５１を参照して説明したものと対応する機能を有することに留意されたい。したがって、動作および機能性の詳細については、図５乃至図５１を参照して、方法の各ステップに関してなされた説明を参照することができる。
【０１４０】
図５３は、本開示の一実施形態による基準信号を送信するための装置を概略的に示す。装置５３００は、サービングノード、例えば、ｎｏｄｅ  Ｂ（ＮｏｄｅＢまたはＮＢ）のようなＢＳに含まれる。
【０１４１】
図５３に示すように、装置５３００は、第１基準信号送信部５３０１と、第２基準信号送信部５３０２とを備える。第１基準信号送信部５３０１は、第１送信リソースグループ内の第１構成リソースグループを用いて基準信号を送信するように構成され、第２基準信号送信部５３０２は、第２送信リソースグループ内の第２構成リソースグループを用いて基準信号を送信するように構成される。第１構成リソースグループは、基準信号のために割り当てられたリソース構成に基づいて決定され、第２構成リソースグループは、第１構成リソースグループのサブセットである。
【０１４２】
第１構成リソースグループは、割り当てられたリソース構成の一部、または割り当てられたリソース構成内のいくつかのリソースとすることができる。本開示のいくつかの実施形態では、第１構成リソースグループおよび／または第２構成リソースグループによって使用されていない割り当てられたリソース構成内のリソースをミュートすることができる。
【０１４３】
本開示のいくつかの実施形態では、割り当てられたリソース構成は、基準信号用のレガシーリソース構成の組み合わせを含むことができる。
【０１４４】
本開示のいくつかの実施形態では、第２構成リソースグループは、第２送信リソースグループ内の２つの近接した送信リソース用の異なる構成リソースを含む。
【０１４５】
本開示のいくつかの実施形態では、装置５３００は、割り当てられたリソース構成のための指示を送信するように構成された、割り当てられたリソース指示送信部５３０３をさらに備えることができる。あるいは、装置は、第１構成リソースグループのための指示を送信するように構成された第１グループリソース指示送信部５３０３’をさらに備えてもよい。
【０１４６】
本開示のいくつかの実施形態では、装置５３００は、第２構成リソースグループの指示を送信するように構成された第２グループリソース指示送信部５３０４をさらに備える。
【０１４７】
本開示のいくつかの実施形態では、割り当てられたリソース指示送信部５３０３は、リソース構成の指示を送信するようにさらに構成されてもよく、第１構成リソースグループおよび／または第２構成リソースグループに割り当てられないリソース構成内のリソースの指示を送信するように構成されてもよい。
【０１４８】
本開示のいくつかの実施形態では、ミュートされる割り当てられたリソース構成内のリソースは、所定のリソース要素または所定のポート構成を含むことができる。あるいは、装置５３００は、割り当てられたリソース構成内の未使用リソースを示すために、ミュートされるリソース要素またはポート構成の指示を送信するように構成されたリソースミュート指示送信部５３０５をさらに備えることができる。
【０１４９】
本開示のいくつかの実施形態では、装置は、第１構成リソースグループ内または第２構成リソースグループ内でミュートされるリソース要素またはポート構成を指示するために、ゼロ電力構成指示を送信するように構成された、ゼロ電力構成指示送信部５３０６をさらに備えてもよい。
【０１５０】
本開示のいくつかの実施形態では、基準信号を送信するためのアンテナアレイは、少なくとも第１サブアレイと第２サブアレイとに分割され、第１サブアレイと第２サブアレイのうちの一方が第１送信リソースグループにマッピングされ、それらのうちの他方が、第２送信リソースグループにマッピングされる。アンテナアレイは、アンテナアレイ内のアンテナの行および／または列に基づいて分割することができる。第１サブアレイおよび第２サブアレイは、いくつかの基準信号ポートのために、互いに部分的に重なり合うことができる。
【０１５１】
本開示のいくつかの実施形態では、第１サブアレイおよび第２サブアレイの少なくとも１つを複数のサブアレイグループにさらに分割することができる。複数のサブアレイグループは、第１構成リソースグループおよび第２構成リソースグループのそれぞれの中の異なる構成リソースにマッピングされる。サブアレイは、アンテナアレイ内のアンテナの行および／または列に基づいて、またはアンテナの偏光方向に基づいて分割することができる。
【０１５２】
本開示のいくつかの実施形態では、基準信号は、高次直交カバーコード（ＯＣＣ）シーケンスで送信される。高次ＯＣＣシーケンスは、レガシーＯＣＣシーケンスを含む第１シーケンスパートと、拡張ＯＣＣシーケンスを含む第２シーケンスパートとを含むことができ、レガシーユーザによって使用される構成リソースは、第１シーケンスパートを使用することによって多重化される。
【０１５３】
図５４は、本開示に従って基準信号を受信するための装置５４００をさらに概略的に示す。装置５４００は、ＵＥのような端末装置に備えることができる。
【０１５４】
図５４に示すように、装置５４００は、第１基準信号受信部５４０１と、第２基準信号受信部５４０２とを備える。第１基準信号受信部５４０１は、第１送信リソースグループの第１構成リソースグループ内の基準信号を受信するように構成される。第２基準信号受信部５４０２は、第２送信リソースグループの第２構成リソースグループ内の基準信号を受信するように構成される。第１構成リソースグループは、基準信号のために割り当てられたリソース構成に基づいて決定され、第２構成リソースグループは、第１構成リソースグループのサブセットである。
【０１５５】
本開示のいくつかの実施形態では、第１構成リソースグループは、割り当てられたリソース構成の一部であり、第１構成リソースグループおよび／または第２構成リソースグループによって使用されていない割り当てリソース構成のリソースはミュートされる。
【０１５６】
本開示のいくつかの実施形態では、割り当てられたリソース構成は、基準信号用のレガシーリソース構成の組み合わせを含むことができる。
【０１５７】
本開示のいくつかの実施形態では、第２構成リソースグループは、第２送信リソースグループ内の２つの近接した送信リソース用の異なる構成リソースを含むことができる。
【０１５８】
本開示のいくつかの実施形態では、装置５４００は、割り当てられたリソース構成のための指示を受信するように構成された、割り当てられたリソース指示受信部５４０３をさらに備え、第１構成リソースグループは、割り当てられたリソース構成に基づいて決定される。あるいは、装置５４００は、第１構成リソースグループのための指示を受信するように構成された第１グループリソース指示受信部５４０３’をさらに備えてもよい。
【０１５９】
本開示のいくつかの実施形態では、装置５４００は、第２構成リソースグループの指示を受信するように構成された第２グループリソース指示受信部５４０４をさらに備えることができる。
【０１６０】
本開示のいくつかの実施形態では、割り当てられたリソース指示受信部５４０３は、リソース設定の指示を受信するようにさらに構成されてもよく、第１構成リソースグループおよび／または第２構成リソースグループに割り当てられないリソース構成内のリソースの指示を受信するように構成されてもよい。
【０１６１】
本開示のいくつかの実施形態では、ミュートされる割り当てられたリソース構成内のリソースは、所定のリソース要素または所定のポート構成を含む。本開示の他の実施形態では、装置は、ミュートされるリソース要素またはポート構成の指示を受信するように構成されたリソースミュート指示受信部５４０５をさらに備えることができる。
【０１６２】
本開示のいくつかの実施形態では、装置５４００は、第１構成リソースグループまたは第２構成リソースのグループ内でミュートされるリソース要素またはポート構成を示す、ゼロ電力構成の指示を受信するように構成された、ゼロ電力構成指示受信部５４０６をさらに備えてもよい。
【０１６３】
本開示のいくつかの実施形態では、異なるレイヤのための基準信号は、高次直交カバーコード（ＯＣＣ）シーケンスを有する同じ構成リソースから得ることができる。
【０１６４】
本開示のいくつかの実施形態では、高次ＯＣＣシーケンスは、レガシーＯＣＣシーケンスを含む第１シーケンスパートと、拡張ＯＣＣシーケンスを含む第２シーケンスパートとを含み、レガシーユーザによって使用される構成リソース上の異なるレイヤの基準信号は、第１シーケンスパートを用いて得られる。
【０１６５】
以上、装置５３００および装置５４００の概要について、図５３及び図５４を参照して説明した。装置５３００および装置５４００は、図５乃至図５２を参照して説明したような機能を実装するように構成されてもよいことに留意されたい。したがって、これらの装置におけるモジュールの動作についての詳細は、図５乃至図５２を参照して説明した方法の各ステップに関する記述を参照することができる。
【０１６６】
さらに、装置５３００および装置５４００の構成要素は、ハードウェア、ソフトウェア、ファームウェア、および／またはそれらの任意の組み合わせで具体化されてもよいことに留意されたい。例えば、装置５３００および装置５４００の構成要素は、回路、プロセッサまたは任意の他の適切な選択デバイスによってそれぞれ実現されてもよい。さらに、当業者であれば、上記の例は限定を目的としたものではなく、本開示がこれに限定されないことを理解する。本明細書に提供された教示から多くの変形、追加、削除および改変を容易に想到することができ、これらの全ての変形、追加、削除および改変は、本開示の保護範囲に入る。
【０１６７】
さらに、本開示のいくつかの実施形態では、装置５３００および装置５４００はそれぞれ、少なくとも１つのプロセッサを備えることができる。本開示の実施形態での使用に適した少なくとも１つのプロセッサは、例えば、将来知られている、または将来開発される汎用プロセッサおよび専用プロセッサの両方を含むことができる。装置５３００および装置５４００はそれぞれ、少なくとも１つのメモリをさらに備えることができる。少なくとも１つのメモリは、例えば、ＲＡＭ（Random Access Memory）、ＲＯＭ（Read Only Memory）、ＥＰＲＯＭ（Erasable Programmable Read Only Memory）、ＥＥＰＲＯＭ（Electrically Erasable Programmable Read Only Memory）、フラッシュメモリデバイスなどの半導体メモリデバイスを含むことができる。少なくとも１つのメモリは、コンピュータ実行可能命令のプログラムを格納するために使用されてもよい。このプログラムは、任意の高水準および／または低水準の適合可能または解釈可能なプログラミング言語で記述することができます。実施形態によれば、コンピュータ実行可能命令は、少なくとも１つのプロセッサを用いて、装置５３００および装置５４００に、それぞれ図５乃至図５２を参照して説明した方法による動作を少なくとも実行させるように構成することができる。
【０１６８】
図５５は、無線ネットワーク内の無線ネットワークのためのＵＥのような端末装置として具現化されるか、またはその中に含まれる装置５５１０の簡略化されたブロック図を示し、装置５５２０は、本明細書で説明するＮＢまたはｅＮＢのような基地局である。
【０１６９】
装置５５１０は、データプロセッサ（ＤＰ:Data Processor）およびプロセッサ５５１１に結合された少なくとも１つのメモリ（ＭＥＭ:Memory）５５１２などの少なくとも１つのプロセッサ５５１１を備える。装置５５１０は、プロセッサ５５１１に結合された送信機ＴＸおよび受信機ＲＸ５５１３をさらに備えてもよく、プロセッサ５５１１は、装置５５２０に通信可能に接続するように動作可能であってもよい。ＭＥＭ５５１２は、プログラム（ＰＲＯＧ:Program）５５１４を格納する。ＰＲＯＧ５５１４は、関連するプロセッサ５５１１上で実行されると、例えば、方法５２００を実行するために、本開示の実施形態に従って装置５５１０が動作することを可能にする命令を含むことができる。少なくとも１つのプロセッサ５５１１と少なくとも１つのＭＥＭ５５１２の組み合わせは、本開示の様々な実施形態を実施するように構成された処理手段５５１５を形成することができる。
【０１７０】
装置５５２０は、ＤＰなどの少なくとも１つのプロセッサ５５２１と、プロセッサ５５２１に結合された少なくとも１つのＭＥＭ５５２２とを備える。装置５５２０は、プロセッサ５５２１に結合された適切なＴＸ／ＲＸ５５２３をさらに備え、装置５５１０との無線通信のために動作可能であってもよい。ＭＥＭ５５２２は、ＰＲＯＧ５５２４を記憶する。ＰＲＯＧ５５２４は、関連するプロセッサ５５２１上で実行されると、例えば、方法５００を実行するために、本開示の実施形態に従って装置５５２０が動作することを可能にする命令を含むことができる。少なくとも１つのプロセッサ５５２１と少なくとも１つのＭＥＭ５５２２との組み合わせは、本開示の様々な実施形態を実装するように構成された処理手段５５２５を形成することができる。
【０１７１】
本開示の様々な実施形態は、プロセッサ５５１１、プロセッサ５５２１、ソフトウェア、ファームウェア、ハードウェアの１つ以上によって実行可能なコンピュータプログラムによって、またはそれらの組み合わせによって実装されてもよい。
【０１７２】
ＭＥＭ５５１２およびＭＥＭ５５２２は、ローカル技術環境に適した任意のタイプのものでよく、半導体ベースのメモリデバイス、磁気メモリデバイスおよびシステム、光メモリデバイスおよびシステム、固定メモリ、およびリムーバブルメモリなどの任意の適切なデータ記憶技術を使用して実装することができるが、例えばこれらに限定されない。
【０１７３】
プロセッサ５５１１およびプロセッサ５５２１は、ローカル技術環境に適した任意のタイプのものでよく、汎用コンピュータ、専用コンピュータ、マイクロプロセッサ、デジタル信号プロセッサＤＳＰおよびマルチコアプロセッサアーキテクチャに基づくプロセッサのうちの１つまたは複数を含むことができるが、例えばこれらに限定されない。
【０１７４】
加えて、本開示はまた、電子信号、光信号、無線信号、またはコンピュータ可読記憶媒体のうちの１つである、上記のようなコンピュータプログラムを含むキャリアを提供することができる。コンピュータ読み取り可能な記憶媒体は、例えば、光コンパクトディスクまたはランダムアクセスメモリ（ＲＡＭ:Random Access Memory）、読み出し専用メモリ（ＲＯＭ:Read Only Memory）、フラッシュメモリ、磁気テープ、ＣＤ−ＲＯＭ（Compact Disc-Read Only Memory）、ＤＶＤ（Digital Video Disc）、ブルーレイディスク（Blue-ray disc）などの電子メモリデバイスなどを含む。
【０１７５】
本明細書で説明される技術は、一実施形態で説明される対応する装置の１つまたは複数の機能を実装する装置が従来技術の手段だけでなく、対応する１つまたは複数の機能を実装するための手段、装置は、それぞれの別個の機能のための別個の手段、または２つ以上の機能を実行するように構成される手段を備える。例えば、これらの技術は、ハードウェア（１つまたは複数の装置）、ファームウェア（１つまたは複数の装置）、ソフトウェア（１つまたは複数のモジュール）、またはそれらの組み合わせで実施されてもよい。ファームウェアまたはソフトウェアの場合、本明細書に記載の機能を実行するモジュール（例えば、プロシージャ、ファンクションなど）を介して実装を行うことができる。
【０１７６】
本明細書の例示的な実施形態は、方法および装置のブロック図およびフローチャート図を参照して上述されている。ブロック図およびフローチャート図の各ブロック、ならびにブロック図およびフローチャート図におけるブロックの組み合わせは、それぞれ、コンピュータプログラム命令を含む様々な手段によって実施できることが理解される。これらのコンピュータプログラム命令は、コンピュータまたは他のプログラマブルデータ処理装置上で実行される命令が、指定された機能を実行するための手段を作成するように、汎用コンピュータ、専用コンピュータ、または他のプログラム可能データ処理装置にロードされて、フローチャートの１つまたは複数のブロック内にある。
【０１７７】
本明細書は、多くの具体的な実装の詳細を含むが、これらは、実装の範囲または請求可能な範囲の限定として解釈されるべきではなく、特定の実装の特定の実施形態に特有の機能の記述として解釈されるべきである。別個の実施形態の文脈において本明細書で説明される特定の特徴は、単一の実施形態において組み合わせて実施されてもよい。逆に、単一の実施形態の文脈で記載されている様々な特徴は、複数の実施形態で別々にまたは任意の適切なサブコンビネーションで実施することもできる。さらに、特徴は、特定の組み合わせで作用するものとして上述されており、当初はそのように主張されているものであっても、ある場合には、請求された組み合わせからの１つまたは複数の特徴を組み合わせから切り出すことができ、またはサブコンビネーションのバリエーションを含むことができる。
【０１７８】
技術が進歩するにつれて、本発明の概念が様々な方法で実施できることは、当業者には明らかでる。上述の実施形態は、本開示を限定するものではなく説明するために与えられており、当業者が容易に理解するように、本開示の精神および範囲から逸脱することなく改変および変形が可能であることを理解されたい。そのような改変および変形は、開示および添付の請求項の範囲内にあると考えられる。本開示の保護範囲は、添付の特許請求の範囲によって規定される。
【図１】
2020162147.tif 000006
【図２】
2020162147.tif 000007
【図３】
2020162147.tif 000008
【図４】
2020162147.tif 000009
【図５】
2020162147.tif 000010
【図６】
2020162147.tif 000011
【図７】
2020162147.tif 000012
【図８】
2020162147.tif 000013
【図９】
2020162147.tif 000014
【図１０】
2020162147.tif 000015
【図１１】
2020162147.tif 000016
【図１２】
2020162147.tif 000017
【図１３】
2020162147.tif 000018
【図１４】
2020162147.tif 000019
【図１５】
2020162147.tif 000020
【図１６】
2020162147.tif 000021
【図１７】
2020162147.tif 000022
【図１８】
2020162147.tif 000023
【図１９】
2020162147.tif 000024
【図２０】
2020162147.tif 000025
【図２１】
2020162147.tif 000026
【図２２】
2020162147.tif 000027
【図２３】
2020162147.tif 000028
【図２４】
2020162147.tif 000029
【図２５】
2020162147.tif 000030
【図２６】
2020162147.tif 000031
【図２７】
2020162147.tif 000032
【図２８】
2020162147.tif 000033
【図２９】
2020162147.tif 000034
【図３０】
2020162147.tif 000035
【図３１】
2020162147.tif 000036
【図３２】
2020162147.tif 000037
【図３３】
2020162147.tif 000038
【図３４】
2020162147.tif 000039
【図３５】
2020162147.tif 000040
【図３６】
2020162147.tif 000041
【図３７】
2020162147.tif 000042
【図３８】
2020162147.tif 000043
【図３９】
2020162147.tif 000044
【図４０】
2020162147.tif 000045
【図４１】
2020162147.tif 000046
【図４２】
2020162147.tif 000047
【図４３】
2020162147.tif 000048
【図４４】
2020162147.tif 000049
【図４５】
2020162147.tif 000050
【図４６】
2020162147.tif 000051
【図４７】
2020162147.tif 000052
【図４８】
2020162147.tif 000053
【図４９】
2020162147.tif 000054
【図５０】
2020162147.tif 000055
【図５１】
2020162147.tif 000056
【図５２】
2020162147.tif 000057
【図５３】
2020162147.tif 000058
【図５４】
2020162147.tif 000059
【図５５】
2020162147.tif 000060